(57)【特許請求の範囲】
【請求項１】
遊技球が流下可能な遊技領域が前面に設けられた遊技盤と、該遊技盤の後側に配置され、該遊技盤の窓口を介して前側から視認可能な表示部で図柄を変動表示し得る図柄表示装置と、動作による演出を行う動作演出装置とを備えた遊技機において、
前記動作演出装置は、
前記表示部の前側に重なる動作演出位置と該動作演出位置より表示部の前側から外れる方向へ変位した退避位置との間で往復移動可能に配設された動作ベース部と、
前記動作ベース部に配設されて該動作ベース部に伴って移動すると共に、動作ベース部に対して該動作ベース部の移動方向である第１の方向へ変位可能に構成された動作装飾部と、
前記動作装飾部に配設され、該動作装飾部と共に前記動作ベース部に対して変位すると共に、該動作装飾部に対して前記第１の方向と交差する第２の方向に変位可能に配設された動作飾り部と、
前記動作ベース部に前記第２の方向に往復移動可能に配設され、前記動作装飾部を支持するスライド部材と、
一端部が前記動作ベース部に設けられた案内部に係合すると共に、他端部が前記動作装飾部に回動可能に支持された前記動作飾り部に接続したリンク部とを備え、
前記動作飾り部は、前記スライド部材の移動に伴い前記案内部を回動中心として回動するリンク部により回動するよう構成された
ことを特徴とする遊技機。
【発明の詳細な説明】
【技術分野】
【０００１】
この発明は、動作により演出を行う動作演出装置を備えた遊技機に関するものである。
【背景技術】
【０００２】
代表的な遊技機であるパチンコ機は、遊技盤の盤面に画成した遊技領域の略中央位置に枠状の装飾部材(所謂センター役物)が配設されており、この装飾部材の開口部を介して複数の図柄を変動表示する液晶式やドラム式等の図柄表示装置を後方から臨ませると共に、該遊技盤における装飾部材の下方位置に、パチンコ球(遊技球)の入賞により図柄表示装置での図柄変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動に伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。また、パチンコ機では、所要の動作を行う可動体を備えた可動演出装置を枠状装飾部材に配設し、該可動体を図柄表示装置で行われる遊技演出に合わせて動作させることにより、視覚的な演出効果を向上させて遊技の興趣を高めている(例えば、特許文献１参照)。
【先行技術文献】
【特許文献】
【０００３】
【特許文献１】特開２００１−１３７４６１号公報
【発明の概要】
【発明が解決しようとする課題】
【０００４】
特許文献１の可動体は、単に上下方向に移動するだけであるから、遊技者に与える興趣に乏しく、より興趣に富んだ動作演出を行うことができる可動演出装置が求められている。
【０００５】
すなわち本発明は、従来の技術に係る遊技機に内在する前記問題に鑑み、これらを好適に解決するべく提案されたものであって、興趣に富んだ動作演出を行い得る動作演出装置を備えた遊技機を提供することを目的とする。
【課題を解決するための手段】
【０００６】
前記課題を克服し、所期の目的を達成するため、本願の請求項１に係る発明の遊技機は、
遊技球が流下可能な遊技領域(20a)が前面に設けられた遊技盤(20)と、該遊技盤(20)の後側に配置され、該遊技盤(20)の窓口(26a)を介して前側から視認可能な表示部(17a)で図柄を変動表示し得る図柄表示装置(17)と、動作による演出を行う動作演出装置(100)とを備えた遊技機において、
前記動作演出装置(100)は、
前記表示部(17a)の前側に重なる動作演出位置と該動作演出位置より表示部(17a)の前側から外れる方向へ変位した退避位置との間で往復移動可能に配設された動作ベース部(120)と、
前記動作ベース部(120)に配設されて該動作ベース部(120)に伴って移動すると共に、動作ベース部(120)に対して該動作ベース部の移動方向である第１の方向へ変位可能に構成された動作装飾部(140)と、
前記動作装飾部(140)に配設され、該動作装飾部(140)と共に前記動作ベース部(120)に対して変位すると共に、該動作装飾部(140)に対して前記第１の方向と交差する第２の方向に変位可能に配設された動作飾り部(150)と、
前記動作ベース部(120)に前記第２の方向に往復移動可能に配設され、前記動作装飾部(140)を支持するスライド部材(130)と、
一端部が前記動作ベース部(120)に設けられた案内部(127,129)に係合すると共に、他端部が前記動作装飾部(140)に回動可能に支持された前記動作飾り部(150)に接続したリンク部(154,156)とを備え、
前記動作飾り部(150)は、前記スライド部材(130)の移動に伴い前記案内部(127,129)を回動中心として回動するリンク部(154,156)により回動するよう構成されたことを要旨とする。
【０００７】
請求項１に係る発明によれば、動作ベース部の移動および動作ベース部の移動に伴う動作装飾部の移動だけではなく、動作装飾部自体も動作ベース部に対して変位可能であるから、動作ベース部および動作装飾部の動作の組み合わせにより興趣に富んだ動作演出を行い得る。
また、動作装飾部に対して変位可能な動作飾り部を設けることで、動作ベース部、動作装飾部および動作飾り部の動作の組み合わせにより更に興趣に富んだ動作演出を行い得る。
更に、動作装飾部を支持するスライド部材を動かすことで、案内部に繋がる端部と動作飾り部に繋がる端部との位置ズレにより回動するリンク部によって、動作装飾部に配設された動作飾り部を変位させることができる。
【００１１】
本願には、次のような技術的思想が含まれる。
前記スライド部材(130)には、複数の動作装飾部(140)が配設されると共に、各動作装飾部(140)に前記動作飾り部(150)が配設され、
前記案内部(127,129)は、前記第１の方向に沿って前記リンク部(154,156)の一端部の移動を許容するよう形成され、前記動作装飾部(140)の第１の方向への変位につれて該リンク部(154,156)全体が前記動作飾り部(150)と共に変位するよう構成されたことを要旨とする。
上記構成によれば、案内部は、第２の方向に沿ってリンク部の他端部の移動を許容する構成であるから、動作装飾部が第２の方向に変位しても、スライド部材の移動に伴ってリンク部を回動して動作飾り部を変位させることができる。また、複数の動作装飾部が別々に変位しても、各動作装飾部に配設された動作飾り部を変位させることができる。
【発明の効果】
【００１２】
本発明に係る遊技機によれば、動作演出装置において興趣に富んだ動作演出を行い得る。
【図面の簡単な説明】
【００１３】
【図１】本発明の好適な実施例に係るパチンコ機を示す正面図である。
【図２】実施例の遊技盤を示す正面図であり、可動演出体は待機位置にあり、動作演出体は退避位置にある。
【図３】実施例の遊技盤を示す正面図であり、可動演出体が可動演出位置にあると共に動作演出体が動作演出位置にある状態を示し、(ａ)は動作演出体の動作飾り部が第１姿勢にあり、(ｂ)は動作飾り部が第２姿勢にある。
【図４】実施例の遊技盤を示す正面図であり、可動演出体が可動演出位置にあると共に動作演出体が動作演出位置にあり、可動演出体の可動装飾部が作動位置にあると共に可動演出体の動作装飾体が移動位置にある。
【図５】実施例の遊技盤の縦断面図であり、(ａ)は図２のＡ矢視であり、(ｂ)は図２のＢ矢視である。なお、図柄表示装置は取り外してある。
【図６】実施例の設置部材を示す正面図である。
【図７】実施例の演出手段を示す正面図であり、(ａ)は可動演出体が待機位置にあり、動作演出体が退避位置にある状態を示し、(ｂ)は可動演出体が可動演出位置にあると共に動作演出体が動作演出位置にある状態を示し、(ｃ)は(ｂ)の状態から動作飾り部を第２姿勢としている。
【図８】実施例の演出手段を示す正面図であり、可動演出体が可動演出位置にあると共に動作演出体が動作演出位置にあり、可動演出体の可動装飾部が作動位置にあると共に可動演出体の動作装飾体が移動位置にある状態を示す。
【図９】実施例の可動演出装置の要部を可動演出体が待機位置にある状態で示す図であって、(ａ)は前側から見た斜視図であり、(ｂ)は後側から見た斜視図であり、(ｃ)は底面図である。
【図１０】実施例の可動演出装置の要部を可動演出体が可動演出位置にある状態で示す図であって、(ａ)は正面図であり、(ｂ)は背面図であり、(ｃ)は底面図である。
【図１１】(ａ)は図９(ｃ)のＣ−Ｃ線断面図であり、(ｂ)は図１０(ｃ)のＤ−Ｄ線断面図である。
【図１２】図１０(ａ)のＥ−Ｅ線断面図である。
【図１３】実施例の可動演出装置の可動アームおよび切替手段を示す分解斜視図であって、(ａ)は前側から見た状態であり、(ｂ)は後側から見た状態である。
【図１４】実施例の可動演出装置において、可動演出体の可動基部を示す分解斜視図であって、(ａ)は前側から見た状態であり、(ｂ)は後側から見た状態である。
【図１５】実施例の可動演出装置において、可動演出体の可動装飾部を示す分解斜視図であって、(ａ)は上部可動装飾体を前側から見たものであり、(ｂ)は下部可動装飾体を前側から見たものである。
【図１６】実施例の可動演出体において、可動装飾部を動かす機構を示す説明図である。
【図１７】実施例の可動演出装置において、可動支持部と可動係合部との関係を示す説明図である。
【図１８】実施例の動作演出装置を、動作演出体の退避状態で示す斜視図であって、(ａ)は前側から見た状態であり、(ｂ)は後側から見た状態である。
【図１９】実施例の動作演出装置において、左側の動作ユニットを示す側面図である。
【図２０】実施例の動作演出装置における左側の動作ユニットを、動作演出体が動作演出位置にあると共に動作飾り部が第１姿勢にある状態で示し、(ａ)は正面図であり、(ｂ)は背面図である。
【図２１】実施例の動作演出装置における左側の動作ユニットを、動作演出体が動作演出位置にあると共に動作飾り部が第１姿勢にある状態で示す底面図である。
【図２２】実施例の動作演出装置における左側の動作ユニットを、動作演出体が動作演出位置にあると共に動作飾り部が第２姿勢にある状態で示し、(ａ)は正面図であり、(ｂ)は背面図である。
【図２３】実施例の左側の動作ユニットの動作機構を示す分解斜視図であって、(ａ)は前側から見た状態であり、(ｂ)は後側から見た状態である。
【図２４】実施例の左側の動作演出体を前側から示す分解斜視図である。
【図２５】実施例の左側の動作演出体を後側から示す分解斜視図である。
【図２６】実施例の左側の動作演出体について、動作装飾部を取り外した状態で示す説明斜視図であって、(ａ)は動作飾り部が第１姿勢にあり、(ｂ)は動作飾り部が第２姿勢にあり、(ｃ)は動作装飾部が移動位置に移動した場合のリンク部と案内部との関係を示す。
【図２７】実施例の左側の動作演出体について、動作装飾部を取り外した状態で示す説明図であって、(ａ)は動作飾り部が第１姿勢にあり、(ｂ)は動作飾り部が第２姿勢にある。
【図２８】可動演出体が可動演出位置にあると共に動作演出体が動作演出位置にあり、可動演出体の可動装飾部が作動位置にあると共に可動演出体の動作装飾体が移動位置にある状態において、可動装飾部の装飾ラックと動作装飾部との関係を示す説明図である。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定条件の成立(始動入賞口へのパチンコ球の入賞)を契機として図柄を変動表示させて図柄変動演出を行う図柄表示装置１７(図２参照)が着脱可能に配設されている。また、中枠１２の前面側には、遊技盤２０を透視保護するガラス板や透明な合成樹脂材により形成された透視保護板(図示せず)で前後に開口する窓口１３ａを覆うよう構成された装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１６】
前記中枠１２の右下方位置には、該中枠１２に配設された打球発射装置(図示せず)を作動する操作ハンドル１６が設けられている。操作ハンドル１６は、左回転方向に付勢されており、該操作ハンドル１６を右回転するよう遊技者が回動操作することで打球発射装置が作動されて、上球受け皿１４に貯留されたパチンコ球が遊技盤２０の遊技領域２０ａに向けて１球ずつ発射されるようになっている。ここで、操作ハンドル１６の回動量に応じて打球発射装置によるパチンコ球の打球力が強弱変化するよう構成されており、遊技者が操作ハンドル１６の回動量を調節することで、遊技領域２０ａへのパチンコ球の発射位置を任意に変更し得るようになっている。なお、実施例では、図柄表示装置１７としては、飾図の他に各種絵柄やキャラクタ等を表示可能な液晶パネルを収容ケースに収容した液晶表示装置が採用されているが、これに限られるものではなく、ドラム式の図柄表示装置やドットマトリックス式の図柄表示装置等の各種図柄を停止および変動表示可能な従来公知の各種の表示装置を採用し得る。また、上球受け皿１４は、前枠１３と別体に形成して中枠１２に対して開閉可能に組み付けるようにしてもよい。
【００１７】
(遊技盤)
図２〜図５に示すように、前記遊技盤２０は、ベニヤ材や合成樹脂材により形成された略矩形状の板部材であって、遊技盤２０の裏面側に、図柄表示装置１７が取り付けられた設置部材２２(図６参照)が着脱可能に組み付けられている。遊技盤２０の前面には、略円形状に湾曲形成した案内レール２４が配設されており、該案内レール２４により画成される略円形の遊技領域２０ａに、中枠１２に配設された図示しない打球発射装置から発射されたパチンコ球が打ち出されることで遊技が行われるようになっている。また、遊技盤２０には、前後に貫通する装着口２０ｂが適宜位置に開設されており、各装着口２０ｂに対して各種の遊技盤設置部品(具体的には枠状装飾体２６、始動入賞装置３０,３５、特別入賞装置３２、普通入賞装置３６等)が前側から取り付けられると共に、遊技領域２０ａの最下部位置には、該遊技領域２０ａに打ち出されたパチンコ球を排出するアウト口２５が開設されている。なお、装着口２５ｂの形成数は、遊技盤２０に取り付けられる各種遊技盤設置部品の個数や配設位置等により必要に応じて適宜変更される。
【００１８】
前記遊技盤２０には、図２〜図４に示すように、案内レール２４で囲まれた遊技領域２０ａの略中央で開口する装着口２５ｂに、前後に開口する表示窓口２６ａが形成されたセンター役とも称される枠状装飾体２６が取り付けられ、該枠状装飾体２６の表示窓口２６ａを介して図柄表示装置１７の画像表示部(表示部)１７ａが遊技盤２０の前面側に臨むよう構成されている。なお、遊技盤２０には、遊技領域２０ａ内に多数の遊技釘が設けられており、遊技領域２０ａを流下するパチンコ球が遊技釘に接触することで、流下方向が不規則に変化するよう構成されている。
【００１９】
(枠状装飾体)
前記枠状装飾体２６は、下縁部を除く全周に亘って遊技盤２０の前面から前方へ突出するよう形成されて、遊技領域２０ａと表示窓口２６ａとを区画するよう構成されており、遊技領域２０ａを流下するパチンコ球が枠状装飾体２６の表示窓口２６ａの内側に進入しないようになっている。すなわち、実施例の遊技領域２０ａは、枠状装飾体２６の左側に画成される第１球流下経路と、当該枠状装飾体２６の右側に画成される第２球流下経路とに区画されて、遊技盤２０の遊技領域２０ａに打ち出されるパチンコ球の位置や発射強度に応じて、該第１球流下経路または第２球流下経路をパチンコ球が流下するようになっている。枠状装飾体２６の下部(開口下縁部)には、図２に示すように、パチンコ球が左右に転動可能なステージ２７が設けられている。また、枠状装飾体２６におけるステージ２７の後端部には、表示窓口２６ａの内側へ延出する透明な規制壁が設けられており、該ステージ２８上を転動するパチンコ球が後方(遊技盤２０の裏側)へ移動するのを防止している。
【００２０】
図２〜図４に示すように、遊技盤２０には、枠状装飾体２６の下方位置に第１始動入賞装置３０が配設され、遊技領域２０ａの左右方向中央部に開口する第１始動入賞口３０ａに遊技領域２０ａを流下するパチンコ球が入賞することで、図柄表示装置１７での図柄変動を開始したり、所定数の賞球の払い出しなどが行われる。また、遊技盤２０には、始動入賞装置３０の右上位置に特別入賞装置３２が配設され、該特別入賞装置３２には遊技領域２０ａに臨むように特別入賞口３２ａが設けられている。特別入賞装置３２は、大当り時などの所定の遊技状態において、特別入賞口３２ａを塞ぐ開閉扉３３を開放変位して、特別入賞口３２ａを開放するようになっている。そして、遊技領域２０ａを流下するパチンコ球が特別入賞口３２ａに入賞することで、所定数の賞球の払い出しなどが行われる。また、遊技盤２０には、特別入賞口３２ａの上側位置に、パチンコ球が通過可能なゲート３４が配設され、遊技領域２０ａを流下するパチンコ球がゲート３４を通過することを契機として、第１始動入賞装置３０の右側位置に配置された第２始動入賞装置３５の始動入賞口(図示せず)に配設された開閉部材(図示せず)を開放するなどが行われる。更に、遊技盤２０には、遊技領域２０ａの左側下部に普通入賞装置３６が配設され、遊技領域２０ａに開口する普通入賞口に該遊技領域２０を流下するパチンコ球が入賞することで、所定数の賞球の払い出しなどが行われるようになっている。
【００２１】
(設置部材)
図６に示すように、前記設置部材２２は、略矩形状の背面板２３ａと、該背面板２３ａの外周縁部から前方に突出する画壁部２３ｂとから前方に開口した箱状に形成されて、該画壁部２３ｂの開口前端部を遊技盤２０の裏面に当接させた状態で、当該遊技盤２０と設置部材２２とがネジにより固定される。そして、設置部材２２において遊技盤２０との間に画成される空間に、可動演出装置４０および動作演出装置１００などの各種装置が設置されて、設置部材２２を基材とする１つのユニットとして扱い得るようになっている。また、設置部材２２の背面板２３ａには、枠状装飾体２６の表示窓口２６ａと前後に整列する位置に、略矩形状の設置開口部２２ａが前後に開口するよう開設されると共に、該背面板２３ａの裏側に図柄表示装置１７が着脱自在に取付けられて、該設置開口部２２ａを介して図柄表示装置１７の画像表示部１７ａが遊技盤２０の前側に臨むようになっている。
【００２２】
(演出手段)
図６に示すように、設置部材２２の前側には、可動演出体４２により動作演出を行う可動演出装置４０と、動作演出体１０２,１０２により動作演出を行う動作演出装置１００とからなる演出手段が設置されている。設置部材２２における設置開口部２２ａの上側には、可動演出装置４０が背面板２３ａの前面に取り付けられ、設置部材２２における設置開口部２２ａの横側には、動作演出装置１００が背面板２３ａの前面に取り付けられている。実施例では、設置部材２２における設置開口部２２ａの左右両側に、動作演出装置１００の動作演出体１０２およびこの動作演出体１０２を動作するための動作機構を備えた動作ユニットＵが夫々配設されている。図５(ａ)に示すように、可動演出装置４０は、遊技盤２０と設置部材２２とを組み付けた際に、設置部材２２の背面板２３ａ上部と、この背面板２３ａ上部の前側に配置される枠状装飾体２６の上部を構成する上枠装飾部３７との間に画成される上部設置スペースＳＨに配設されている。また、動作演出装置１００における左側の動作ユニットＵＬは、遊技盤２０と設置部材２２とを組み付けた際に、設置部材２２の背面板２３ａ左側部と、この背面板２３ａ左側部の前側に配置される枠状装飾体２６の左側部を構成する左枠装飾部３８および遊技盤左側部との間に画成される左側部設置スペースＳＬに配設されている。図５(ｂ)に示すように、動作演出装置１００における右側の動作ユニットＵＲは、設置部材２２の背面板２３ａ右側部と、この背面板２３ａ右側部の前側に配置される側部演出装置３９との間に画成される右側部設置スペースＳＲに配設されている。
【００２３】
前記演出手段は、少なくとも遊技盤２０の前側から視認可能な部位において、可動演出体４２および動作演出体１０２,１０２が動作するよう構成されて、パチンコ機１０での遊技演出に応じて、可動演出体４２および動作演出体１０２,１０２により所定の動作演出を行うようになっている。ここで、パチンコ機１０で実行される遊技演出とは、図柄表示装置１７の画像表示部１７ａにおいての各種図柄が変動する図柄変動演出、リーチ演出、リーチ予告演出、大当り演出等の表示による演出、スピーカからの音声出力による演出、光を照射し得る装置による光による演出などを指す。なお、パチンコ機１０で実行される遊技演出は、パチンコ機１０の外側に現れない内部的であっても、パチンコ機１０の外側に現れる外部的であっても何れであってもよい。
【００２４】
(可動演出装置)
図７、図８、図１３〜図１５に示すように、前記可動演出装置４０は、設置部材２２の背面板２３ａに取り付けられる可動ベース(ベース)４４と、この可動ベース４４に配設された可動ガイド(ガイド)５０により往復移動可能に支持された可動演出体４２と、可動ベース４４に変位可能に配設されて、可動演出体４２に接続された可動アーム(アーム)５２とを備えている。可動演出体４２は、待機位置(図７(ａ)参照)とこの待機位置より下方の可動演出位置(図７(ｂ)参照)との間で、可動ガイド５０により上下方向に往復移動可能に支持されている。可動演出装置４０は、待機位置にある可動演出体４２を、枠状装飾体２６における表示窓口２６ａの開口内側に臨む図柄表示装置１７の画像表示部１７ａの上側(外側)に退避すると共に前記上枠装飾部３７の後側に隠れるように配置して、待機位置では、可動演出体４２が遊技盤２０の前側から見えないようになっている(図２および図５(ａ)参照)。また、可動演出装置４０は、可動演出位置にある可動演出体４２を、画像表示部１７ａの前側に重なるように配置し、可動演出位置では、可動演出体４２が遊技盤２０の前側から視認可能になるよう構成される(図３および図４参照)。このように、可動演出装置４０は、可動演出体４２が図柄表示装置１７の画像表示部１７ａに対して出没するように動作し、実施例では可動演出位置において可動演出体４２が画像表示部１７ａにおける上下左右方向の中央部に配置される。
【００２５】
図９〜図１１および図１３に示すように、前記可動演出装置４０は、可動アーム５２に設けられた可動係合部(係合部)５６と、この可動係合部５６を支持して可動アーム５２の姿勢を保つ可動支持部(支持部)５８と、この可動支持部５８を、可動アーム５２の変位に伴う可動係合部５６の移動経路に重なる第１状態と該移動経路から外れる第２状態とに切り替える切替手段６０とを備えている。可動演出装置４０は、切替手段６０による可動支持部５８の位置切り替えにより可動支持部５８と可動係合部５６とを係脱するよう構成され、可動支持部５８が可動係合部５６を支持することで、可動アーム５２の姿勢を保って可動演出体４２を適宜の位置とすると共に、可動支持部５８が可動係合部５６から外れることで、可動アーム５２の姿勢変位を許容して可動演出体４２の自重による変位が可能になる構成とされる(図１７参照)。すなわち、可動演出装置４０は、可動演出体４２を待機位置とした可動アーム５２の上昇姿勢(姿勢)で可動係合部５６を支持する可動支持部５８を、切替手段６０により第２状態に切り替えることで、可動演出体４２が自重により落下するよう構成されている。また、可動演出装置４０は、可動演出位置にある可動演出体４２に伴って下降姿勢となった可動アーム５２の可動係合部５６を、切替手段６０による可動支持部５８の第１状態から第２状態への切り替えにより押し上げて、可動演出体４２を可動演出位置から待機位置に移動するよう構成されている。
【００２６】
(可動ベース)
横長に形成された前記可動ベース４４は、設置部材２２における設置開口部２２ａの上部に配置して背面板２３ａの前面に取り付けられ(図６参照)、上部設置スペースＳＨに収容されて遊技盤２０の前側から視認不能になっている(図５(ａ)参照)。図１３に示すように、可動ベース４４は、前側に開放した略トレイ状に形成された可動ベース基体４５と、この可動ベース基体４５の右側部前側に取り付けられ、可動ベース基体４５との間に部材収容空間を画成する右可動ベース被覆体４６と、可動ベース基体４５の右側部前側に取り付けられ、可動ベース基体４５との間にスペースを画成する左可動ベース被覆体４７とを備えている。可動ベース４４は、遊技盤２０の左右方向中央部に対応する位置において右可動ベース被覆体４６と左可動ベース被覆体４７との間に可動ベース基体４５が前方に露出するように構成されており、この可動ベース基体４５の前側露出部分に前記可動ガイド５０が配設されている(図７(ｂ)および(ｃ)参照)。また、可動ベース４４は、左右の可動ベース被覆体４６,４７の間が、可動演出体４２の左右幅より大きく形成されて、可動ベース被覆体４６,４７の前面と可動ベース基体４５との前面とがなす後側へ凹んだベース段状部４４ａに、待機位置にある可動演出体４２の後部が収容されるようになっている(図７(ａ)参照)。可動ベース基体４５と右可動ベース被覆体４６との間の右部材収容空間には、可動アーム５２の一端部が収容され、該可動アーム５２の一端部が可動ベース基体４５に対して前後方向の軸周りに回動可能に支持されている。可動ベース４４において右部材収容空間を画成する下壁および前記ベース段状部４４ａに臨む左壁には、可動アーム５２が挿通および変位可能な挿通開口が開設され、この挿通開口を介して可動アーム５２の他端部が右部材収容空間の外側へ延出するようになっている。また、右可動ベース被覆体４６の前側には、後述する可動モータ(駆動手段)６４の設置台となるモータ設置体４８が配設されている。モータ設置体４８は、後方に開放した略トレイ形状に形成され、切替手段６０(後述の切替連繋部６２)の前側を覆うようになっている。
【００２７】
(可動ガイド)
前記可動ガイド５０は、可動ベース４４に設けられたベース段状部４４ａと可動演出体４２の後面との間に配設され、可動ベース４４に対して可動演出体４２を上下方向に往復移動可能に支持している。実施例の可動ガイド５０は、複数の可動レール部５０ａをボールベアリングを介して摺動可能に組み合わせたスライドレールが用いられ、可動ベース４４のベース段状部４４ａに上下方向に延在するように配設された可動レール部５０ａに対して、可動演出体４２の後面に上下方向に延在するように配設された可動レール部５０ａが上下方向に移動可能になっている。また、実施例の可動ガイド５０は、可動ベース４４に配設された可動レール部５０ａと、可動演出体４２に配設された可動レール部５０ａとの間に、更に別の可動レール部５０ａが介在する多段式であり、可動ベース４４に対する可動演出体４２の移動可能距離を大きくし得ると共に、可動演出体４２を待機位置にした際に、可動ガイド５０の上下寸法をコンパクトにできる。ここで、可動演出体４２は、該可動演出体４２の左右方向中央より右側方に偏った部位に可動アーム５２の他端部が接続されると共に、該可動演出体４２の左右方向中央より左側方に偏った部位で可動ガイド５０に支持されている。
【００２８】
(可動アーム)
図１３に示すように、前記可動アーム５２は、その長手方向の一端部が可動ベース４４に回動可能に支持されると共に、その長手方向の他端部が前記可動演出体４２に接続されている。より具体的には可動アーム５２は、可動ベース基体４５の右側部下側に設けられた孔状の軸受部４５ａに該可動アーム５２の一端部に開設された軸孔５２ａを介して支軸５２ｂを嵌合することで、可動ベース基体４５に対して回動可能に軸支される。可動アーム５２は、可動ベース４４に対する支持部分(一端部)から、可動ベース基体４５の前側に重なるように左方に延在する上昇姿勢で、回動端部(他端部)が右部材収容空間を画成する左壁からベース段状部４４ａに延出し、この回動端部に接続された前記可動演出体４２を待機位置で保持するようになっている。また、可動アーム５２は、可動ベース４４に対する支持部分から、左側へ向かうにつれて下方傾斜するように延在する下降姿勢で、回動端部が右部材収容空間を画成する下壁から可動ベース４４の下側に延出し、この回動端部に接続された前記可動演出体４２の可動演出位置への配置を許容するようになっている。
【００２９】
図９に示すように、前記可動アーム５２は、上昇姿勢において、可動ベース４４への支持部分から上方に延在する第１アーム部５２ｃと、この第１アーム部５２ｃから屈曲して左方に延在する第２アーム部５２ｄとを備え、正面視で全体として略Ｌ字状に形成されている。可動アーム５２は、第１アーム部５２ｃと比べて第２アーム部５２ｄが長く形成されている。そして、可動アーム５２は、上昇姿勢において左右方向に延在する第２アーム部５２ｄが、下降姿勢において下方傾斜するようになっている。なお、第２アーム部５２ｄは、可動アーム５２の上昇姿勢において、途中から回動端部に向かうにつれて上方(第１アーム部５２ｃと反対側)傾斜するように形成された上方傾斜部分を備えている。
【００３０】
図１３に示すように、前記可動アーム５２は、平板状の可動アーム後体５３と、この可動アーム後体５３の前側に取り付けられ、後方に開放した略トレイ形状に形成された可動アーム前体５４とから構成されている。可動アーム５２は、可動アーム前体５４とこの可動アーム前体５４の後方開口を塞ぐように取り付けた可動アーム後体５３との間に、設置部材２２側から可動演出体４２に配設される電気部品(後述の可動発光手段９１や装飾モータ７７)に繋がる配線を収容可能になっている。
【００３１】
(可動係合部)
図９(ａ)および図１０(ａ)に示すように、前記可動係合部５６は、可動アーム５２(可動アーム前体５４)の前面に前方に突出するように設けられ、可動アーム５２の上昇姿勢で左右方向に延在する庇状に形成されている。可動係合部５６は、可動アーム５２における第２アーム部５２ｄの上縁部に設けられ、該第２アーム部５２ｄにおいて回動端部側に偏倚した位置に配置されている。また、可動係合部５６は、第２アーム部５２ｄにおける前記上方傾斜部分の屈曲部から右方へ直線的に延在するように、可動ベース前体５４に一体的に形成されている。そして、可動係合部５６は、可動アーム５２の上昇姿勢と下降姿勢との間の回動変位に伴って、可動ベース４４における右部材収容空間内において上下に変位するようになっている。
【００３２】
(切替手段)
図１３に示すように、前記切替手段６０は、右可動ベース被覆体４６に前後方向の軸周りに回転可能に軸支される回転体であり、駆動手段としての可動モータ６４により回転される。切替手段６０は、円盤形状に形成された切替本体部６１と、この切替本体部６１より小径の円盤状に形成され、切替本体部６１の前側に該切替本体部６１と同軸的に配設された切替連繋部６２とを備え、切替本体部６１と切替連繋部６２とが右可動ベース被覆体４６の前板を前後に挟んで共通の支軸により軸支されている。ここで、切替手段６０は、切替本体部６１が右部材収容空間に収容されて可動アーム５２の第２アーム部５２ｄ(可動係合部５６)の前側に重なるように配置されると共に、切替連繋部６２が右可動ベース被覆体４６の前板に後方へ凹むように形成された連繋収容凹部４６ａの前側に収容される。切替連繋部６２の周面には、後述する可動モータ６４の可動ピニオン６５に噛み合う連繋歯部６２ａが形成されている。
【００３３】
前記可動モータ６４は、後方に開放した略トレイ形状に形成されたモータ設置体４８の前面に、出力軸を後方へ向けた姿勢で取り付けられ、該モータ設置体４８の後方へ突出する出力軸の先端に可動ピニオン６５が固定されている(図１３参照)。可動ピニオン６５は、モータ設置体４８を右可動ベース被覆体４６の前面に取り付けた際に、連繋収容凹部４６ａに繋がるように右可動ベース被覆体４６に前後に貫通形成された連繋開口４６ｂの内側に収容されると共に、連繋開口４６ｂに臨む切替連繋部６２の周面に設けられた連繋歯部６２ａに噛み合うようになっている。このように、切替手段６０は、可動モータ６４の駆動により回転する可動ピニオン６５に伴って切替連繋部６２が回転することで、可動アーム５２に臨む切替本体部６１が回転するようになっている。ここで、切替手段６０は、可動アーム５２の上昇姿勢および下降姿勢との間の上下変位に伴う可動係合部５６の移動経路に対して、切替本体部６１における回転中心より左側領域の少なくとも一部が前側に重なり、切替本体部６１における回転中心より右側領域の少なくとも一部が前記移動経路の前側に重ならないように構成される(図１７参照)。
【００３４】
(可動支持部)
図１７に示すように、前記可動支持部５８は、切替手段６０における切替本体部６１の回転中心から半径方向外側に偏倚した偏芯位置に設けられ、切替手段６０の回転に伴って可動係合部５６に対する位置が第１状態と第２状態とに切り替わるように構成される。また、可動支持部５８は、切替本体部６１の後面から後方へ突出し、その後端が可動係合部５６の前縁よりも後方に位置する一方で、第２アーム部５２ｄの前面に当接しないように設定されている(図９(ｃ)および図１０(ｃ)参照)。可動支持部５８は、切替手段６０における切替本体部６１に突設された支持軸部(軸部)５８ａと、この支持軸部５８ａに回転可能に配設されて、可動係合部５６に当接する支持円筒体(円筒体)５８ｂとを備え(図１３(ｂ)参照)、可動係合部５６の延在方向に沿って可動支持部５８が変位する際に支持円筒体５８ｂが回転することで、可動係合部５６と可動支持部５８との摺動抵抗を軽減している。可動支持部５８は、切替手段６０の回転に伴い切替本体部６１の回転中心軸周りに回転変位し、切替本体部６１の最上部(可動支持部５８の回転軌跡における最上位)に位置する際に、可動演出体４２を待機位置とする可動アーム５２の上昇姿勢で可動係合部５６を支持するように構成されている(図９および図１７(ａ)参照)。そして、可動支持部５８は、切替手段６０の回転に伴い時計回りに回転変位して切替本体部６１における回転中心より右側領域に至ることで、可動アーム５２の姿勢変位に伴う可動係合部５６の移動経路上から外れる(図１７(ｂ)および(ｃ))。
【００３５】
前記可動支持部５８は、切替手段６０の回転に伴い時計回りに回転変位して切替本体部における回転中心より左側領域に至ることで、可動アーム５２の姿勢変位に伴う可動係合部５６の移動経路上に重なるようになっている(図１０、図１７(ｄ)および(ｅ)参照)。すなわち、可動支持部５８は、切替本体部６１の回転中心より左側領域から右側領域上部に位置する所定範囲で、可動係合部５６の下側(可動アーム５２の上昇姿勢から下方姿勢への姿勢変位に伴う可動係合部５６の移動方向前側)に位置する第１状態になり、切替本体部６１の回転中心より右側領域から左側領域下部に位置する所定範囲で、可動係合部５６の下側(可動アーム５２の上昇姿勢から下方姿勢への姿勢変位に伴う可動係合部の移動方向前側)から外れて第２状態になるように構成される。換言すると、可動係合部５６は、切替手段６０の回転に伴い可動支持部５８が切替本体部６１の最下部から最上部(可動支持部５８の回転軌跡における最下位から最上位)に変位するまでの左右方向の変位範囲の上方に少なくとも延在するよう形成されている。このように、可動支持部５８は、可動モータ６４の回転駆動による切替手段６０の回転により、可動係合部５６を支持可能な第１状態と可動係合部５６の支持を解除した第２状態とに切り替えられる。
【００３６】
前記切替手段６０は、可動演出体４２を待機位置とした可動アーム５２の上昇姿勢で可動係合部５６を支持する第１状態にある可動支持部５８を、切替本体部６１の時計回りの回転に伴い第２状態に切り替え、可動支持部５８による可動係合部５６の支持を解除するようになっている(図１７(ａ)および(ｂ)参照)。これにより、可動支持部５８に邪魔されることなく可動アーム５２の下方へ向けた姿勢変位が許容され、可動演出体４２が待機位置から可動演出位置に向けて自重により落下するのにつれて、可動アーム５２が下降姿勢に姿勢変位される(図１７(ｃ)参照)。切替手段６０は、切替本体部６１の時計回りの回転により、切替本体部６１の右側領域を上方から下方へ向けて円弧状軌跡で可動支持部５８を第２状態で変位させた後に、可動支持部５８を切替本体部６１の左側領域に到来させることで、該可動支持部５８を、第２状態から、下降姿勢にある可動アーム５２に伴って切替本体部６１の左側領域下部の後側に斜めに延在する可動係合部５６の下側に位置する第１状態に切り替える(図１７(ｄ)参照)。そして、切替手段６０は、切替本体部６１の時計回り回転により、第１状態にある可動支持部５８を、切替本体部６１の左側領域において下方から上方へ向けて円弧状軌跡で上方変位するようになっている。すなわち、可動支持部５８は、可動演出体４２が可動演出位置にある可動アーム５２の可動係合部５６を、切替手段６０による第１状態での変位により押し上げるように構成され、下降姿勢から上昇姿勢へ向けて姿勢変位する可動アーム５２に伴って可動演出体４２が可動演出位置から待機位置に移動される。このように、可動演出装置４０は、切替手段６０を一方向(実施例では時計回り)に回転することで、可動支持部５８を第１状態と第２状態とに切り替え可能であり、可動支持部５８の第１状態と第２状態との切り替えにより、可動演出体４２を待機位置から落下させると共に可動演出体４２を可動演出位置から待機位置に復帰させる一連の動作を行い得るように構成される。
【００３７】
図９および図１０に示すように、前記可動演出装置４０には、可動演出体４２の位置を検出する可動検出手段６６が、右可動ベース被覆体４６に設けられている。実施例の可動検出手段６６は、前後に対向配置された発光部と受光部を有するフォトセンサであり、発光部と受光部との間を切替手段６０における切替本体部６１の外周縁が通るように配設されている。切替本体部６１は、外周縁の一部を切り欠いて形成された可動検出部６１ａを有し、可動支持部５８が切替本体部６１の最上位(可動演出体４２の待機位置に対応)にあるときに、可動検出部６１ａが可動検出手段６６における発光部と受光部との間に位置し(図９(ａ)参照)、可動支持部５８が切替本体部６１の最上位から外れた位置にあるときに、切替本体部６１の外周縁が発光部と受光部との間に位置するようになっている(図１０(ａ)参照)。
【００３８】
(ストッパ)
図９および図１０に示すように、前記可動演出装置４０は、可動演出体４２の待機位置からの落下に伴って姿勢変位する可動アーム５２を、該可動演出体４２の可動演出位置に対応する下降姿勢で受け止める可動ストッパ(ストッパ)６８を備えている。可動ストッパ６８は、可動ベース基体４５の右側下部前面に配設され、右部材収容空間に収容されている。また、可動ストッパ６８は、可動アーム５２の上昇姿勢から下降姿勢へ向けた姿勢変位方向前側に位置して、該可動アーム５２を支持する軸受部４５ａの左側(該軸受部４５ａからの可動アーム５２の延在方向)に隣接配置されている。ここで、可動ストッパ６８は、可動演出体４２の待機位置に対応する可動アーム５２の上昇姿勢において、第１アーム部５２ａの左側に該第１アーム部５２ａから離間して配置されるると共に、第２アーム部５２ｂの下側に該第２アーム部５２ｂから離間して配置される。また、可動ストッパ６８は、可動演出体４２の可動演出位置に対応する可動アーム５２の下降姿勢において、第１アーム部５２ａと第２アーム部５２ｂとの屈曲部下側に位置するように設けられている。
【００３９】
図１０(ａ)に示すように、前記可動ストッパ６８は、下降姿勢において支持部分から左方へ向かうにつれて上方傾斜するように延在する第１アーム部５２ａの壁面に合わせて、下方から上方へ向かうにつれて左側に傾く第１受面６８ａと、下降姿勢において屈曲部分から左方へ向かうにつれて下方傾斜するように延在する第２アーム部６８ｂの壁面に合わせて、下方から上方へ向かうにつれて右側に傾く第２受面６８ｂとを備えている。そして、可動ストッパ６８は、可動アーム５２の下降姿勢において、第１受面６８ａにより第１アーム部５２ａを受け止めると共に第２受面６８ｂにより第２アーム５２ｂを受け止め可能になっている。ここで、第１受面６８ａおよび第２受面６８ｂは、ゴム等の弾力性を有する緩衝部材で構成されており、可動アーム５２を受け止める際の衝撃を吸収して、可動アーム５２が受面６８ａ,６８ｂに当たった際にはね返らないようにしている。なお、可動ストッパ６８は、第１アーム部６８ａと第２アーム部６８ｂとの間の屈曲部分に形成されたテーパ壁面に合わせて、略水平に形成された逃げ面６８ｃを有している。
【００４０】
図９(ｂ)および図１０(ｂ)に示すように、前記可動演出体４２には、可動アーム５２の回動端部が回動可能に接続されている。具体的には、可動アーム５２の回動端部には、該可動アーム５２(第２アーム部５２ｂ)の延在方向に長手が延在する可動接続孔５５が開設され、可動演出体４２の後面から後方へ突出する可動接続軸７０を可動接続孔５５に係合させることで、可動演出体４２と可動アーム５２とが接続されている。上下方向だけでなく左右方向の変位成分を有する可動アーム５２の回動端部の回動変位に対して、可動演出体４２は、可動ガイド５０に直線的に上下移動するように支持されているが、可動接続軸７０が可動接続孔５５の長手に沿って位置ズレが許容されている。これにより、待機位置から可動演出位置への可動演出体４２の落下が、可動アーム５２により妨げられることはなく、下降姿勢から上昇姿勢へ回動する可動アーム５２に伴って、可動演出体４２を可動演出位置から待機位置へ円滑に上昇させることができる。また、可動演出体４２は、可動ガイド５０に支持されて、可動アーム５２の姿勢変位に伴って左右に傾くことなくそのままの姿勢で上下方向に往復移動するように構成されている(図７参照)。ここで、可動演出体４２は、後面における左右方向中央より右側に偏倚した部位の上部に可動アーム５２の回動端部が接続されており、後面における左右方向中央より左側に偏倚した部位で可動ガイド５０により支持されている。可動演出体４２において、可動アーム５２の接続部位と可動ガイド５０の支持部位とが左右に振り分けてあり、すなわち、可動アーム５２の支持部分に近い側に該可動アーム５２が接続しているのに対して、可動アーム５２の支持部分から遠い側で可動ガイド５０により支持されている。なお、実施例の可動演出体４２では、該可動演出体４２の右側に配設された後述する装飾モータ(駆動手段)７７の上側で、可動アーム５２の回動端部が接続されている(図９(ｂ)および図１０(ｂ)参照)。
【００４１】
(可動演出体)
図９〜図１１に示すように、前記可動演出体４２は、前記可動ガイド５０および可動アーム５２に支持される可動基部７２と、この可動基部７２の前側に該可動基部７２に対して変位可能に配設された可動装飾部８６とを備えている。実施例の可動演出体４２は、可動基部７２の前側上部と覆う上部可動装飾部８６Ａと、可動基部７２の前側下部を覆う下部可動装飾部８６Ｂとの２つを有し、これらの可動装飾部８６Ａ,８６Ｂが可動基部７２に対して左右方向(可動演出体４２における待機位置と可動演出位置との間の移動方向と交差する方向)に移動するように構成されている。また、可動演出体４２は、上下２つの可動装飾部８６Ａ,８６Ｂが互いに相反する向きに進退移動するよう構成され、各可動装飾部８６Ａ,８６Ｂは、可動基部７２の前側に重なった基本位置(図７および図１６(ａ)参照)と、可動基部７２の側縁(外縁)から側方(外方)へ延出するように可動基部７２からずれた作動位置(図８および図１６(ｂ)参照)との間で左右方向に移動するようになっている。ここで、上部可動装飾部８６Ａは、基本位置から右方へ移動して作動位置になり、該作動位置において可動基部７２の右側縁から右方へ延出するようになっている。これに対して、下部可動装飾部８６Ｂは、基本位置から左方へ移動して作動位置になり、該作動位置において可動基部７２の左側縁から左方へ延出するようになっている。可動演出体４２は、上下の可動装飾部８６Ａ,８６Ｂが可動基部７２の前側に整合した基本位置において、上部可動装飾部８６Ａの下縁と下部可動装飾体８６Ｂの上縁とが互いに整合して、両可動装飾部８６Ａ,８６Ｂにより略円形の意匠形状が形成される。可動演出体４２は、上下の可動装飾部８６Ａ,８６Ｂの夫々が作動位置に移動した際に、上部可動装飾部８６Ａと下部可動装飾部８６Ｂとが左右にずれて、基本位置で両可動装飾部８６Ａ,８６Ｂにより形成されていた意匠形状が上下に分断された形状になる。
【００４２】
(可動基部)
図１４に示すように、前記可動基部７２は、前側に開放した略箱状に形成された基部後ケース７３と、この基部後ケース７３の前側に該基部後ケース７３の前方開口を塞ぐように配設される基部中間板７４と、この基部中間板７４の前側に配設され、後側に開放した略箱状に形成された基部前ケース７５とを備え、全体として略円盤形状に形成されている。可動基部７２には、基部後ケース７３と基部中間板７４との間に、装飾モータ７７等の収容スペースが画成されると共に、基部中間板７４と後方開口を該基部中間板７４で塞がれた基部前ケース７５との間に、部材(後述するラック固定板８０等)の収容スペースが画成される。可動基部７２には、基部中間板７４の右側部に、出力軸を前側に向けた姿勢で装飾モータ７７が配設され、この装飾モータ７７が基部後ケース７３の右側部に後方へ向けて凹むように凹設されたモータ収容部７３ａに収容されている。基部中間板７４および基部前ケース７５に開設された基部モータ開口７４ａ,７５ａを介して基部前ケース７５の前側に臨む装飾モータ７７の出力軸の先端には装飾ピニオン７８が固定され、この装飾ピニオン７８が基板前ケース７５の前側に臨んでいる。そして、基部前ケース７５には、左右方向に長手が延在すると共に前後に貫通するラック長孔７５ｂが、上下に平行して２条形成されている。
【００４３】
(装飾ラック)
図１２および図２８に示すように、可動基部７２における基部前ケース７５の前側には、可動装飾部８６の本体を支持する装飾ラック(作動部材)８８,８９が、ラック長孔７５ｂの長手(左右方向)に沿って移動可能に配設されている。装飾ラック８８,８９は、後面に後方へ突出形成されたラック支持軸８８ａ,８９ａ(図１４(ｂ)参照)をラック長孔７５ｂに前側から挿入すると共に、ラック長孔７５ｂを介して基部前ケース７５の後側に臨むラック支持軸８８ａ,８９ａの後端にラック長孔７５ｂの上下幅より大きい上下幅で形成されたラック固定板８０を固定することでラック長孔７５ｂから抜け止めされる。基部前ケース７５において上側に延在するラック長孔７５ｂには、上部可動装飾部８６Ａの上部装飾ラック８８が配設され、基部前ケース７５において下側に延在するラック長孔７５ｂには、下部可動装飾部８６Ｂの下部装飾ラック８９が配設されている。上部装飾ラック８８には、下縁に歯部８８ｂが形成され、下部装飾ラック８９には、上縁に歯部８９ｂが形成され、上部装飾ラック８８および下部装飾ラック８９には、互いに対向するように歯部８８ｂ,８９ｂが設けられている。
【００４４】
図２８に示すように、前記基部前ケース８５の前面中央部には、連繋歯車８２が前後方向の軸周りに回転可能に配設されている。連繋歯車８２は、上下のラック長孔７５ｂ,７５ｂおよび該ラック長孔７５ｂ,７５ｂの夫々に左右に移動可能に保持された上下の装飾ラック８８,８９の間に配置され、該連繋歯車８２の周面歯部が上部装飾ラック８８の下縁の歯部８８ｂに噛み合うと共に、下部ラック８９の上縁の歯部８９ｂに噛み合っている(図１６参照)。また、上部装飾ラック８８の歯部８８ｂには、装飾ピニオン７８が噛み合っており、装飾モータ７７の駆動に伴う装飾ピニオン７８の回転により上部装飾ラック８８が左右方向に往復移動される。そして、上部装飾ラック８８が装飾ピニオン７８の回転により左右方向に往復移動されることで、連繋歯車８２を介して下部装飾ラック８９が上部装飾ラック８８の移動向きと反対側に往復移動されるようになっている。すなわち、上下の装飾ラック８８,８９は、同期して作動される。
【００４５】
図１６に示すように、前記上部可動装飾部８６Ａは、上部装飾ラック８８が、右端部を除く大部分が基部前ケース８５の前面に重なるように配置された状態で基本位置となり、この状態から上部装飾ラック８８が右側へ移動して基部前ケース８５の右側縁から右方へ大きく延出した状態で作動位置となる。このように、上部可動装飾部８６Ａは、上部装飾ラック８８の左右方向の移動により左右方向に移動するようになっている。また、上部装飾ラック８８には、右端部に右側の動作演出体１０２の後述する動作装飾部に当接可能な当接突起８８ｃが設けられている。下部可動装飾部８６Ｂは、下部装飾ラック８９が、左端部を除く大部分が基部前ケース８５の前面に重なるように配置された状態で基本位置となり、この状態から下部装飾ラック８９が左側へ移動して基部前ケース８５の左側縁から左方へ大きく延出した状態で作動位置となる。このように、下部可動装飾部８６Ｂは、下部装飾ラック８９の左右方向の移動により左右方向に移動するようになっている。また、下部装飾ラック８９には、左端部に左側の動作演出体１０２の後述する動作装飾部に当接可能な当接突起８９ｃが設けられている。
【００４６】
前記可動演出体４２は、連繋歯車８２を介した上部装飾ラック８８と下部装飾ラック８９との連繋により、上部可動装飾部８６Ａが基本位置から作動位置に向けて移動するのに同期して下部可動装飾部８６Ｂが基本位置から作動位置に向けて移動するが、右側へ移動する上部可動装飾部８６Ａに対して下部可動装飾部８６Ｂが左側へ移動するよう構成される。また、可動演出体４２は、連繋歯車８２を介した上部装飾ラック８８と下部装飾ラック８９との連繋により、上部可動装飾部８６Ａが作動位置から基本位置に向けて移動するのに同期して下部可動装飾部８６Ｂが作動位置から基本位置に向けて移動するが、左側へ移動する上部可動装飾部８６Ａに対して下部可動装飾部８６Ｂが右側へ移動するよう構成される。実施例の可動演出体４２は、上部可動装飾部８６Ａを、左右に延在する直線部分が下縁となる略半円形状に形成し、下部可動装飾部８６Ｂを、左右方向に延在する直線部分が上縁となる略半円形状に形成し、基本位置にある両可動装飾部８６Ａ,８６Ｂが連なって１つの意匠形状を形成するようになっている。なお、両可動装飾部８６Ａ,８６Ｂは、外形形状が合わさって意匠形状を形成するだけでなく、両可動装飾部８６Ａ,８６Ｂの前面に施された模様が合わさって所定の模様(例えば文字や図形など)を形成するようになっている。可動演出装置４０は、可動演出体４２の待機位置においては可動装飾部８６を基本位置で保持し、可動装飾部８６が基本位置にある状態で、可動演出体４２の待機位置および可動演出位置の間の上下移動が基本的に行われる。また、可動演出装置４０は、可動演出体４２が可動演出位置にある状態で、可動装飾部８６が基本位置と作動位置との間で左右方向に往復移動される。
【００４７】
(装飾検出手段)
図１４および図２８に示すように、前記可動演出体４２には、可動装飾部８６の位置を検出する装飾検出手段８４が、可動基部７２に設けられている。実施例の装飾検出手段８４は、前後に対向配置された発光部と受光部を有するフォトセンサであり、装飾検出手段８４は、基部中間板７４および基部前ケース７５に、下側のラック長孔７５ｂに下方に位置するように開設された検出手段開口７４ｂ,７５ｃに収容するように配設されている。下側装飾ラック８９を抜け止めする下側のラック固定板８０の右側部には、下方へ延出する装飾検出片８０ａが形成され、この装飾検出片８０ａが発光部と受光部との間を通るように配設されている。可動演出体４２は、装飾検出片８０ａが装飾検出手段８４における発光部と受光部との間に位置するときに、両可動装飾部８６Ａ,８６Ｂが基本位置になり、装飾検出片８０ａが装飾検出手段８４における発光部と受光部との間から外れたときに、両可動装飾部８６Ａ,８６Ｂが基本位置からずれた状態になっている。
【００４８】
(可動装飾部)
前記上部可動装飾部８６Ａおよび前記下部可動装飾部８６Ｂは、基本的に同じ機能を有する構成部材で構成されているから、可動装飾部８６の構成部材について以下にまとめて説明する。図１５に示すように、可動装飾部８６は、装飾ラック８８(８９)に支持される装飾後部材９０と、この装飾後部材９０の前側に配設され、前面にＬＥＤ９１ａが実装された基板９１ｂからなる可動発光手段９１と、この可動発光手段９１の前側に配設され、可動発光手段９１の前側を覆う光透過部材９２と、この光透過部材９２の前側に配設された光拡散シート９３と、光透過部材９２の前側に配設された装飾前部材９４とを備えている。可動装飾部８６は、装飾後部材９０とこの装飾後部材９０の前側に取り付けられる装飾前部材９４とにより基本的に外郭が構成され、装飾後部材９０と装飾前部材９４との間に画成されるスペースに、可動発光手段９１、光透過部材９２および光拡散シート９３が収容されている。光透過部材９２は、後側に開放した略箱状に形成された透明な部材であって、円弧状に延在する円弧状周壁９２ａが装飾前部材９４の円弧状縁部から後方へ延出する円弧状壁部９４ａの内側に沿って重なるように配置されると共に、直線的に延在する直線周壁９２ｂが装飾後部材９０の直線状縁部と装飾前部材９４の直線状縁部との間に配置されている。光拡散シート９３は、可動発光手段９１から前側へ照射された光を透過可能で、かつ透過する光を拡散するように構成されており、透明な装飾前部材９４を介して可動発光手段９１が視認不能または視認困難にするよう、不透明になっている。可動装飾部８６は、可動発光手段９１から前側へ光を照射することで、装飾前部材９４の前面を発光し得るようになっている。可動装飾部８６は、装飾前部材９４の円弧状外周縁に沿って可動装飾片９５が配設されており、この可動装飾片９５が装飾前部材および可動基部７２の外周縁より外方へ延出している。すなわち、可動演出体４２において、装飾ラック８８,８９の端部に基本位置で可動基部７２の外側縁より突出するように形成される当接突起８８ｃ,８９ｃの前側が可動装飾片９５によって覆われ、当接突起８８ｃ,８９ｃが前側から視認できないようになっている。
【００４９】
(動作演出装置)
図６に示すように、前記動作演出装置１００は、設置部材２２の設置開口部２２ａ(表示窓口２６ａを介して前側に臨む図柄表示装置１７の画像表示部１７ａ)を挟んで対称な関係で配設された一対の動作演出体１０２,１０２を有している。実施例の動作演出装置１００は、動作演出体１０２およびこの動作演出体１０２を動かす動作機構を備えた動作ユニットＵが、設置部材２２の背面板２３ａにおける左右の側部に夫々配設されている。動作演出装置１００は、画像表示部１７ａの前側に重なる動作演出位置(図３、図４、図７(ｂ)、図７(ｃ)、図８参照)と、この動作演出位置より画像表示部１７ａの前側から外れる方向に変位した退避位置(図２および図７(ａ)参照)との間で、動作演出体１０２を往復移動するように構成される。動作演出体１０２は、遊技盤２０の前側から視認可能な動作演出位置から左右方向に変位することで退避位置に移動し、退避位置において前述した側部設置スペースＳＬ(ＳＲ)に収容されて、前側から視認できないようになっている。すなわち、左側の動作演出体１０２は、左側部設置スペースＳＬに収容された退避位置から右方へ移動して動作演出位置に到来すると共に、動作演出位置から左方へ移動して退避位置に戻る。一方、右側の動作演出体１０２は、右側部設置スペースＳＲに収容された退避位置から左方へ移動して動作演出位置に到来すると共に、動作演出位置から右方へ移動して退避位置に戻る。すなわち、動作演出装置１００は、一対の動作演出体１０２,１０２を互いに近接・離間させるように移動可能になっている。
【００５０】
前記動作演出装置１００は、左右の動作演出体１０２,１０２を退避位置から動作演出位置に移動させることで、左右の動作演出体１０２,１０２が互いに近接し、動作演出位置で左右の動作演出体１０２,１０２が所定間隔をあけて互いに対向するように配置される(図３、図４、図７(ｂ)、図７(ｃ)、図８参照)。そして、動作演出装置１００は、動作演出位置にある左右の動作演出体１０２,１０２によって囲われる演出領域Ｒを、画像表示部１７ａの前側に画成するようになっている。動作演出装置１００は、左右の動作演出体１０２,１０２を動作演出位置から退避位置に移動させることで、左右の動作演出体１０２,１０２が互いに離間し、前記演出領域Ｒの画成状態が解除される。なお、動作演出装置１００は、左右の動作演出体１０２,１０２を互いに独立して動作させたり、左右の動作演出体１０２,１０２を互いに近接・離間するように同期して動作させることが可能な構成とされる。
【００５１】
前記動作演出装置１００における左側の動作ユニットＵＬと右側の動作ユニットＵＲとは、基本的な構成部材が同じであり、また構成部材の配置が左右対称であるだけなので、左側の動作ユニットＵＬを挙げて以下に具体的な説明を行い、右側の動作ユニットＵＲについては左側の動作ユニットＵＬと異なる部分だけを説明する。
【００５２】
図７および図８に示すように、前記動作ユニットＵは、設置部材２２の背面板２３ａ前面に取り付けられる動作ユニットベース１０４と、この動作ユニットベース１０４に対して左右方向に移動可能に支持された動作演出体１０２と、動作ユニットベース１０４に配設され、動作演出体１０２を可動演出位置と退避位置との間で移動させる動作機構とを備えている。動作演出体１０２は、退避位置で動作ユニットベース１０４の前側に重なり、動作演出位置で動作ユニットベース１０４の前側から外れる。
【００５３】
(動作ユニットベース)
図５(ａ)および図６に示すように、前記動作ユニットベース１０４は、設置部材２２における設置開口部２２ａの左側部に配設され、左側部設置スペースＳＬに収容されている。また、動作ユニットベース１０４は、その上部が設置部材２２における設置開口部２２ａの上縁より上方に延在すると共に、その下部が該設置開口部２２ａの下縁より下方に延在するよう形成されている。図２３に示すように、動作ユニットベース１０４は、平板状の本体部分の上部に形成されて、前方に突出するガイド設置段部１０６を備え、このガイド設置段部１０６の前面に、動作演出体１０２を左右方向に往復移動可能に支持する動作ガイド(ガイドレール)１０８が配設されている。ガイド設置段部１０６は、設置部材２２の設置開口部２２の左側縁に合わせて形成された動作ユニットベース１０４の本体部分右側縁より右方へ突出するように形成され、この突出部分が設置部材２２における設置開口部２２ａの上側に延在している(図６参照)。また、動作ユニットベース１０４は、ガイド設置段部１０６が可動演出装置４０における可動ベース４４の前側に重なり、前記突出部分の突出端部が該可動ベース４４におけるベース段状部４４ａに臨んでいる。
【００５４】
(動作ガイド)
前記動作ガイド１０８としては、複数の動作レール部１０８ａをボールベアリングを介して摺動可能に組み合わせたスライドレールが用いられている。動作ガイド１０８は、ガイド設置段部の前面に、設置部材２２の左側部から設置開口部２２ａの上側に亘って左右に延在するように配設された動作レール部１０８ａに対して、動作演出体１０２の後面に配設された動作レール部１０８ａが左右方向に移動可能に組み付けられている(図６参照)。また、動作ガイド１０８は、動作ユニットベース１０４に配設された動作レール部１０８ａと、動作演出体１０２の後面上部に配設された動作レール部１０８ａとの間に、更に別の動作レール部１０８ａが介在しており、別の動作レール部１０８ａが動作ユニットベース１０４側の動作レール部１０８ａの延在範囲内で移動すると共に、動作演出体１０２側の動作レール部１０８ａが別の動作レール部１０８ａの延在範囲内で移動するようになっている。そして、動作ガイド１０８は、動作演出体１０２の上部を、設置部材２２の設置開口部２２ａの横側に退避して動作ユニットベース１０４における本体部分前側に重なる退避位置および該設置開口部２２ａの開口内側に配置される動作演出位置に亘って支持するように構成される。
【００５５】
(動作機構)
図２３に示すように、前記動作機構は、動作ユニットベース１０４の下部に前後方向の軸周りに回動可能に支持された駆動アーム１１０と、この駆動アーム１１０の支持部分の前側を覆うように動作ユニットベース１０４の下部に取り付けられた動作ベースカバー１０９の前面に設置された動作モータ(駆動手段)１１３とを備えている。動作モータ１１３は、出力軸を後方へ向けた姿勢で動作ベースカバー１０９の前面に設置され、動作ベースカバー１０９の後側に突出する出力軸の先端に動作ピニオン１１４が固定されている。動作ベースカバー１０９と動作ユニットベース１０４との間に配置された動作ピニオン１１４は、駆動アーム１１０の支持側に設けられた後述する動作ギア部１１０ｂに噛み合い、動作モータ１１３の駆動に伴って動作ピニオン１１４が回転することで、動作ピニオン１１４と動作ギア部１１０ｂとの噛み合いのもとで駆動アーム１１０が回動するよう構成される。
【００５６】
(駆動アーム)
図２３に示すように、前記駆動アーム１１０は、略扇状に形成されたアーム基部１１０ａを有し、アーム基部１１０ａの要部分が動作ユニットベース１０４に対して軸支されると共に、アーム基部１１０ａの円弧状周面に動作ギヤ部１１０ｂが形成されている。より具体的には駆動アーム１１０は、動作ユニットベース１０４の下部に設けられた孔状の軸受部１０４ａに該駆動アーム１１０のアーム基部１１０ａに開設された軸孔１１０ｃを介して支軸１１１を嵌合することで、動作ユニットベース１０４に対して回動可能に軸支される。駆動アーム１１０は、アーム基部１１０ａの側縁半径方向外側(要部分より離間した位置)から本体部分が延出しており、支持部分と反対側の回動端部前面に前方へ突出するよう形成された動作軸部１１２を備えている(図２７参照)。駆動アーム１１０は、回動端部の動作軸部１１２を動作演出体１０２の下部に接続し、動作モータ１１３の駆動により回動することで、動作ガイド１０８に支持された動作演出体１０２を動作軸部１１２との係合下に左右方向に移動させるようになっている。
【００５７】
前記駆動アーム１１０は、動作ユニットベース１０４への支持部分より回動端部が上方に延在すると共に動作ベースユニットベース１０４の前側に重なった退避姿勢において、動作演出体１０２を退避位置に位置付ける(図１８および図１９参照)。駆動アーム１１０は、動作ユニットベース１０４への支持部分より回動端部が左方に向けて略水平に延出すると共に設置部材２２における設置開口部２２ａの内側に突き出た動作姿勢において、動作演出体１０２を動作演出位置に位置付けるようになっている(図２０および図２１参照)。駆動アーム１１０は、退避姿勢から時計回り(右側の動作ユニットＵＲの場合は反時計回り)に回動することで動作姿勢になり、動作姿勢から反時計回り(右側の動作ユニットＵＲの場合は時計回り)に回動することで退避姿勢に戻される。ここで、駆動アーム１１０は、前記動作姿勢より回動端部を下方へ変位するように回動した回動姿勢まで姿勢変位可能に構成され、駆動アーム１１０の動作姿勢と回動姿勢との間の姿勢変位に伴って、動作演出体１０２に設けられた後述する動作飾り部１５０を作動し得るようになっている(図２２参照)。
【００５８】
前記駆動アーム１１０の動作軸部１１２は、前記退避姿勢において該駆動アーム１１０の支持部分に対して左斜め上側に配置されて、該動作軸部１１２の回動軌跡の中で設置開口部２２ａより最も離れた位置になるよう設定されている(図１８参照)。動作軸部１１２は、動作姿勢において該支持部分に対して右側方に配置されて、該動作軸部１１２の回動軌跡の中で設置開口部２２ａの開口内側へ突出した位置になるように設定されている(図２０参照)。動作軸部１１２は、回動姿勢において駆動アーム１１０の支持部分に対して右斜め下側に配置されて、該動作軸部１１２の回動軌跡の中で最も下側の位置になるように設定されている(図２２参照)。なお、実施例では、回動姿勢にある動作軸部１１２が、動作姿勢にある動作軸部１１２よりも設置開口部２２ａの開口内側に位置している。
【００５９】
(動作検出手段)
図７に示すように、動作ベースカバー１０９には、動作演出体１０２の位置を検出する動作検出手段１１６が設けられている。実施例の動作検出手段１１６は、左右に対向配置された発光部と受光部を有するフォトセンサであり、発光部および受光部を動作ベースカバー１０９と動作ユニットベース１０４との間に臨ませて配設されている。駆動アーム１１０におけるアーム基部１１０ａの前面には、前方に突出する動作検出片１１０ｄが形成され、この動作検出片１１０ｄが発光部と受光部との間を通るように配設されている。動作検出片１１０ｄが動作検出手段１１６における発光部と受光部との間に位置するときに、駆動アーム１１０が退避姿勢になると共に動作演出体１０２が退避位置になり、動作検出片１１０ｄが動作検出手段１１６における発光部と受光部との間から外れたときに、駆動アーム１１０が退避姿勢から変位していると共に動作演出体１０２が退避位置からずれた状態になっている。
【００６０】
(動作演出体)
図１８〜図２２に示すように、前記動作演出体１０２は、動作ガイド１０８に左右方向に往復移動可能に支持された動作ベース部１２０と、この動作ベース部１２０の前側に配設され、該動作ベース部１２０(動作演出体１０２)の移動方向(第１の方向)と同じ左右方向に変位可能に構成された動作装飾部１４０と、この動作装飾部１４０に変位可能に配設され、該動作装飾部１４０と共に動作ベース部１２０に対して変位する動作飾り部１５０とを備えている。動作演出体１０２は、動作装飾部１４０および動作飾り部１５０が配設された動作ベース部１２０を移動することで、該動作演出体全体として設置部材２２(遊技盤２０)に対して変位するようになっている。また、動作演出体１０２は、動作飾り部１５０が配設された動作装飾部１４０を移動することで、動作装飾部１４０だけでなく動作飾り部１５０も動作ベース部１２０に対して移動するようになっている。更に、動作演出体１０２は、動作飾り部１５０を動作装飾部１４０に対して変位し得るよう構成される。
【００６１】
(動作ベース部)
図２４および図２５に示すように、前記動作ベース部１２０は、上下方向に長手が延在すると共に前後に階段状に段差を形成した板状部材であり、該動作ベース部１２０の下側部分を構成する下ベース段部１２１と、動作ベース部１２０の上側部分を構成し、下ベース段部１２１より前側に延在する上ベース段部１２４とを備えている。また、動作ベース部１２０は、上ベース段部１２４の上部から前方に突出するように形成されたガイド接続段部１２５を備え、このガイド接続段部１２５の後面に動作ガイド１０８の動作レール部１０８ａが接続されている。すなわち、動作ベース部１２０は、動作ガイド１０８から吊り下がっている。
【００６２】
図２４および図２５に示すように、前記動作ベース部１２０の下ベース段部１２１には、上下方向に長手が延在する動作軸開口(接続部)１２２が開設され、この動作軸開口１２２に駆動アーム１１０の動作軸部１１２が後側から挿入されている。動作軸開口１２２は、駆動アーム１１０の退避姿勢と回動姿勢との間の回動に伴う動作軸部１１２の上下方向の変位幅と同じまたは該変位幅より大きい上下長さで形成されている。動作ベース部１２０は、駆動アーム１１０の退避姿勢と動作姿勢との間の回動に際して、動作軸部１１２の上下方向の変位を動作軸開口１２２の長手に沿って許容する一方、動作軸部１１２の左右方向の変位に対して動作軸開口１２２における左右の開口縁が引っ掛かることで、該動作軸部１１２の左右方向の変位のみに追従して左右方向に移動するよう構成される(図１８(ｂ)および図２０(ｂ)参照)。そして、動作ベース部１２０は、駆動アーム１１０の動作姿勢で画像表示部１７ａの前側に重なる動作演出位置になり、駆動アーム１１０の退避姿勢で動作演出位置より画像表示部１７ａの前側から外れる左方向へ変位した退避位置になり、駆動アーム１１０の動作姿勢と退避姿勢との間の回動に伴って、動作演出位置と退避位置との間で左右方向に往復移動するようになっている。
【００６３】
前記動作軸開口１２２は、動作姿勢にある駆動アーム１１０の動作軸部１１２よりも下方に延在する動作軸逃げ部１２２ａを有しており(図２０(ｂ)参照)、動作姿勢と回動姿勢との間の回動に伴う動作軸部１１２の変位を動作軸逃げ部１２２ａで許容するようになっている。動作軸逃げ部１２２ａは、駆動アーム１１０における動作姿勢と回動姿勢との間の回動に伴う動作軸部１１２の上下方向の変位幅および左右方向の変位幅と同じまたは大きく開口するように形成されている。すなわち、動作ベース部１２０は、動作軸部１１２が動作軸逃げ部１２２ａを変位する際に、動作軸部１１２が動作軸逃げ部１２２ａの開口縁に引っ掛からないように構成され、駆動アーム１１０の動作姿勢と回動姿勢との回動に際して、動作ベース部１２０は、上下左右に移動することなく動作演出位置で保持される(図２０および図２２参照)。実施例の動作軸逃げ部１２２ａは、上方から下方に向かうにつれて右側に偏倚するように傾けて延在形成されており、駆動アーム１１０の動作姿勢から回動姿勢への回動により右方へ僅かに変位する動作軸部１１２に引っ掛からないように構成されている。
【００６４】
(案内板)
図２６に示すように、前記動作ベース部１２０は、下ベース段部１２１の前側に、該下ベース段部１２１の前面から離間するように配設された下案内板１２６と、上ベース段部１２４の上部前側に、該上ベース段部１２４の前面から離間するように配設された上案内板１２８とを備えている。案内板１２６は、下ベース段部１２１の前面を覆う部分から該下ベース段部１２１の右縁(演出領域Ｒに臨む内縁)より右方へ延出した部分を有し、この延出部分に左右方向に長手が延在する下案内孔(案内部)１２７が開設されている。また、上案内板１２８には、左右方向に長手が延在する上案内孔(案内部)１２９が開設されている。このように、動作ベース部１２０には、上下に離間して２つの案内孔１２７,１２９が設けられている。
【００６５】
(スライド部材)
図２４および図２５に示すように、前記動作ベース部１２０は、下ベース段部１２１および上ベース段部１２４の前側を、上下方向にスライド可能に配設されたスライド部材１３０を備えている。スライド部材１３０は、下ベース段部１２１および上ベース段部１２４の形状に合わせて、下側部分１３０ａよりも上側部分１３０ｂが前側に延在する段状に形成され、該スライド部材１３０の下側部分１３０ａが下ベース段部１２１と下案内板１２６との間に配置されると共に該スライド部材１３０の上側部分１３０ｂが上ベース段部１２４と上案内板１２８との間に配置されている。スライド部材１３０は、上側部分１３０ｂ後面に後方へ突出形成されたスライド軸部１３１を、上ベース段部１２４に上下方向に長手が延在するように開設されたスライド開口１２４ａに挿入して、上ベース段部１２４の後面からスライド固定板１３６をスライド軸部１３１に取り付けることで、動作ベース部１２０に対してスライド開口１２４ａに案内されたもとで上下方向に移動可能に配設される。また、スライド部材１３０の下側部分１３０ａには、下ベース段部１２１に開設された動作軸開口１２２の前側に重なるように、上下に長手が延在する軸連繋開口１３２が開設されており、この軸連繋開口１３２に、動作軸開口１２２から前側に突き出た動作軸部１１２が後側から挿入される。更に、スライド部材１３０の下側部分１３０ａ後面には、軸連繋開口１３２に並行するように上下に延在するスライド保持片１３３が突出形成され、このスライド保持片１３３が、下ベース段部１２１に動作軸開口１２２に並行するように開設されたスライド保持開口１２３に前側から挿入されている(図２０(ｂ)参照)。スライド保持片１３３は、スライド保持開口１２３に左右方向の移動が規制される一方、上下方向の移動が許容されるようになっている。
【００６６】
図１８(ｂ)および図１９に示すように、前記スライド部材１３０は、該スライド部材１３０の下側部分１３０ａと下ベース段部１２１との間に架設された付勢部材１３８により、上方(駆動アーム１１０の動作姿勢から回動姿勢への回動に伴う動作軸部１１２の上下方向の変位向きと反対)へ向けて付勢されており、上側部分１３０ｂの上縁がガイド接続段部１２５に当接することで、上部位置に保持されている。なお、付勢部材１３８としては、コイルばね等の弾性体が用いられる。また、スライド部材１３０は、付勢部材１３８の付勢に抗して上部位置より下方の下部位置に移動可能に構成され、後述するように駆動アーム１１０に下方へ引っ張られて上部位置から下部位置に移動し(図２０(ｂ)および図２２(ｂ)参照)、駆動アーム１１０による引っ張り状態が解除されると付勢部材１３８に付勢されて下部位置から上部位置に戻るようになっている。
【００６７】
前記軸連繋開口１３２は、駆動アーム１１０の退避姿勢と動作姿勢との間の回動に伴う動作軸部１１２の上下方向の変位幅と同じまたは該変位幅より僅か大きく、駆動アーム１１０の退避姿勢と回動姿勢との間の回動に伴う動作軸部１１２の上下方向の変位幅より小さく形成されている。上部位置にあるスライド部材１３０は、軸連繋開口１３２の上端が動作軸開口の上端に上下位置が揃い、軸連繋開口１３２の下端縁の連繋部１３２ａが動作軸開口１２２の下端より上方に位置し、該軸連繋開口１３２の連繋部１３２ａが前記動作軸逃げ部１２２ａの前側に重なるように配置されている(図２０(ｂ)および図２７(ａ)参照)。スライド部材１３０は、駆動アーム１１０の退避姿勢と動作姿勢との間の回動に際して、動作軸部１１２の上下方向の変位を軸連繋開口１３２の長手に沿って許容して、動作軸部１１２の上下方向の変位に追従することなく付勢部材１３８の付勢により上部位置に保たれる。また、スライド部材１３０は、駆動アーム１１０の退避姿勢と動作姿勢との間の回動に際して、動作軸部１１２の左右方向の変位に対して軸連繋開口１３２における左右の開口縁が引っ掛かることで、該動作軸部１１２の左右方向の変位のみに追従して動作ベース部１２０と共に左右方向に移動するよう構成される。
【００６８】
前記スライド部材１３０は、駆動アーム１１０の動作姿勢と回動姿勢との間の回動に際して、動作軸部１１２が軸連繋開口１３２の下端縁である連繋部１３２ａに係合するように構成され、動作姿勢から回動姿勢への回動に伴い下方変位する動作軸部１１２に連繋部１３２ａが引っ掛かり、回動姿勢から動作姿勢に伴い上方変位する動作軸部１１２に連繋部１３２ａが付勢部材１３８の付勢により当接するようになっている(図２２(ｂ)および図２７参照)。すなわち、スライド部材１３０は、動作姿勢から回動姿勢への回動に伴い下方変位する動作軸部１１２に連繋部１３２ａが引っ張られて、上部位置から下部位置に移動するようになっている。そして、スライド部材１３０は、動作姿勢から回動姿勢への回動に伴い動作軸部１１２が上方変位することで、付勢部材１３８の付勢による上方移動が許容され、上部位置から下部位置に移動するようになっている。軸連繋開口１３２は、下端部が右方に広がるように形成されており(図２７参照)、駆動アーム１１０の動作姿勢と回動姿勢との間の回動に際して、動作軸部１１２が左右の開口縁に引っ掛からないようになっている。このように、動作ベース部１２０は、駆動アーム１１０の待機姿勢と動作姿勢との間の回動に際して、スライド部材１３０が上部位置を保った状態で、待機位置と動作演出位置との間を左右方向に往復移動し、駆動アーム１１０の動作姿勢と回動姿勢との間の回動に際して、動作演出位置のままでスライド部材１３０のみが上下方向に移動される。
【００６９】
(動作装飾部)
図１８、図２０および図２２に示すように、動作ベース部１２０におけるスライド部材１３０の前側には、２つの動作装飾部１４０,１４０が配設されている。動作装飾部１４０は、動作ベース部１２０(スライド部材１３０)に伴って退避位置と動作演出位置との間で左右方向に移動すると共に、スライド部材１３０の上部位置と下部位置との上下移動に伴って上下方向に移動するようになっている。また、動作装飾部１４０は、動作ベース部１２０(スライド部材１３０)に対して、該動作ベース部１２０(動作演出体１０２全体)の移動方向である左右方向へ変位可能に構成されている。実施例の動作演出体１０２は、動作ベース部１２０における上ベース段部１２４の前側に配置された上部動作装飾部１４０Ａと、動作ベース部１２０における下ベース段部１２１の前側に主に配置された下部動作装飾部１４０Ｂとを備え、動作演出体１０２に設けられた上下２つの動作装飾部１４０Ａ,１４０Ｂは、左右方向に変位する際に、互いに反対向きに移動するように構成されている(図８および図２８参照)。
【００７０】
図８および図２８に示すように、左動作演出体１０２の場合は、下側に配置された下部動作装飾部１４０Ｂが下部可動装飾部８６Ｂ(下部装飾ラック８９)に押されて左側に移動するのに連動して上側に配置された上部動作装飾部１４０Ａが右側に移動し、右動作演出体１０２の場合は、上側に配置された上部動作装飾部１４０Ａが上部可動装飾部８６Ａ(上部装飾ラック８８)に押されて右側に移動するのに連動して下側に配置された下部動作装飾部１４０Ｂが左側に移動するようになっている。すなわち、動作装飾部１４０の動きについては、右動作ユニットと左動作ユニットとで対称ではなく、右動作ユニットと左動作ユニットとにおいて、上部動作装飾部１４０Ａ,１４０Ａ同士が同じ向きに動き、下部動作装飾部１４０Ｂ,１４０Ｂ同士が同じ向きに動くようになっている。
【００７１】
図７および図２０(ａ)に示すように、前記上部動作装飾部１４０Ａおよび下部動作装飾部は、通常位置において、上部動作装飾部１４０Ａの下端に下部動作装飾部１４０Ｂの上端が連なり、１つのまとまった意匠形状を構成するようになっている。上部動作装飾部１４０Ａが通常位置より右側に移動すると共に下部動作装飾部１４０Ｂが通常位置より左側に移動した移動位置において、上部動作装飾部１４０Ａおよび下部動作装飾部１４０Ｂとが互いに左右にずれて、前記枠状の意匠形状が途中で分断された如き形状になる(図８および図２８参照)。実施例では、下端部から上方に向かうにつれて右側に湾曲する略円弧状に形成された上部動作装飾部１４０Ａと、上端部から下方に向かうにつれて右側に湾曲する略円弧状に形成された下部動作装飾部とにより、両動作装飾部１４０Ａ,１４０Ｂの通常位置において、正面視で設置開口部２２ａの開口内側が凹となる円弧状に延在する枠状の意匠形状が構成される。なお、上部動作装飾部１４０Ｂは、動作ベース部１２０の上案内板１２８より前に配置されて、下部動作装飾部１４０Ｂは、動作ベース部１２０の下案内板１２７より前側に配置されると共に、その下端部が左右方向に延在するように大きく湾曲している。このように、動作演出体１０２は、上下の動作装飾部１４０Ａ,１４０Ｂの移動により、遊技盤２０の前側から視認される意匠形状を変化可能に構成される。
【００７２】
(動作装飾部の支持機構)
図１９および図２１に示すように、上下２つの前記動作装飾部１４０Ａ,１４０Ｂは、スライド部材１３０における上側部分１３０ｂ前面下部に回動可能に配設された一対の回動アーム１４６,１４６に支持されている。各回動アーム１４６は、その中間部分が前後方向の軸周りに回動可能にスライド部材１３０に軸支され、一対の回動アーム１４６,１４６が並行配置されている。両回動アーム１４６,１４６は、上端部(一端部)が上部動作装飾部１４０Ａの後面下部に回動可能に接続されると共に、下端部(他端部)が下部動作装飾部１４０Ｂの後面上部に回動可能に接続されている。また、一方の回動アーム１４６とスライド部材１３０との間には、該回動アーム１４６を所定方向に付勢するトーションばね等の弾性部材１４８(図２４および図２５参照)が配設され、両動作装飾部１４０Ａ,１４０Ｂを移動位置から通常位置にする回動方向(反時計回り)に該回動アーム１４６が弾性部材１４８により付勢されている。両回動アーム１４６,１４６は、該回動アーム１４６の回動中心の右斜め上方に上端部があると共に該回動中心の左斜め下方に下端部がある傾斜姿勢で、スライド部材１３０の前面に突設された回動規制片１３４により弾性部材１４８の付勢による回動が規制されて(図２７参照)、この状態で両動作装飾部１４０Ａ,１４０Ｂを通常位置で保持するようになっている。
【００７３】
左動作ユニットＵＬにおいて、両回動アーム１４６,１４６は、下部動作装飾部１４０Ｂが下部可動装飾部８６Ｂに押されて左側に移動することで、弾性部材１４８の付勢に抗して回動アーム１４６,１４６の下端部が回動中心の左斜め下方から右斜め下方に変位して、これに伴い回動アーム１４６,１４６の上端部が回動中心の右斜め上方から左斜め上方に変位して、上部動作装飾部１４０Ａが右側に移動される。右動作ユニットＵＲにおいて、両回動アーム１４６,１４６は、上部動作装飾部１４０Ａが上部可動装飾部８６Ａに押されて右側に移動することで、弾性部材１４８の付勢に抗して回動アーム１４６,１４６の上端部が回動中心の左斜め上方から右斜め上方に変位して、これに伴い回動アーム１４６,１４６の下端部が回動中心の右斜め下方から左斜め下方に変位して、下部動作装飾部１４０Ｂが左側に移動される。このように、動作演出体１０２は、回動アーム１０６,１０６のスライド部材１３０への支持部分を挟む端部に振り分けて２つの動作装飾部１４０Ａ,１４０Ｂを支持する構成として、一方の動作装飾部１４０Ａ(１４０Ｂ)の移動に連動して他方の動作装飾部１４０Ｂ(１４０Ａ)を移動させるよう、回動アーム１４６,１４６を介して両動作装飾部１４０Ａ,１４０Ｂを連係している。
【００７４】
(動作装飾部の具体的な構成)
図２４および図２５に示すように、前記動作装飾部１４０は、回動アーム１４６,１４６に支持される動作後部材１４１と、この動作後部材１４１の前側に配設され、前面にＬＥＤ１４２ａが実装された基板１４２ｂからなる動作発光手段１４２と、この動作発光手段１４２の前側に配設され、該動作装飾部１４０の前面を構成する動作前部材１４３とを備えている。動作装飾部１４０は、動作後部材１４１とこの動作後部材１４１の前側に取り付けられる動作前部材１４３とにより基本的に外郭が構成され、動作後部材１４１と動作前部材１４３との間に画成されるスペースに、動作発光手段１４２が収容されている。そして、動作装飾部１４０は、動作発光手段１４２から前方へ光を照射することで、動作前部材１４３に設けられた発光部が発光されるようになっている。
【００７５】
(動作飾り部)
前記動作飾り部１５０は、動作装飾部１４０に対して変位可能に配設され、左右方向に往復移動する動作装飾部１４０の移動方向(第１の方向)に対して交差する方向(実施例では上下方向)に変位するように構成される(図７(ｂ)、図７(ｃ)、図２０(ａ)、図２２(ａ)、図２６および図２７参照)。動作飾り部１５０は、動物の牙を模した板状本体の後面から後方に突出する飾り軸部１５２が、動作装飾部１４０に設けられた飾り軸受部１４４に回動可能に支持されて、前後方向の軸周りに回動可能になっている。
【００７６】
前記上部動作装飾部１４０Ａに配設された上部動作飾り部１５０Ａは、板状本体を上部動作装飾部１４０Ａの前側に重ねて配置すると共に、飾り軸部１５２を上部動作装飾部１４０Ａの飾り軸受部１４４に挿入し、飾り軸受部１４４を介して上部動作装飾部１４０Ａの後側に臨む飾り軸部１５２の後端に、一端部を前記上部案内孔１２９に係合した上部リンク部(リンク部)１５４の他端部が接続されている(図２６参照)。上部動作飾り部１５０Ａは、スライド部材１３０の上部位置と下部位置との間の移動に伴って上部案内孔１２９に係合する一端部を中心に回動する上部リンク部１５４により、本体が上下方向に揺動するよう構成される(図２７参照)。下部動作装飾部１４０Ｂには、２つの下部動作飾り部１５０Ｂ,１５０Ｃが配設され、下部動作装飾部１４０Ｂの下部に配置された第１下部動作飾り部１５０Ｂの揺動に連動して、該第１下部動作飾り部１５０Ｂの上側に配設された第２下部動作飾り部１５０Ｃが揺動される。第１下部動作飾り部１５０Ｂは、板状本体を下部動作装飾部１４０Ｂの前側に重ねて配置すると共に、飾り軸部１５２を下部動作装飾部１４０Ｂの飾り軸受部１４４に挿入し、飾り軸受部１４４を介して下部動作装飾部１４０Ｂの後側に臨む飾り軸部１５２の後端に、一端部を前記下部案内孔１２７に係合した下部リンク部(リンク部)１５６の他端部が接続されている。第１下部動作飾り部１５０Ｂは、スライド部材１３０の上部位置と下部位置との間の移動に伴って下部案内孔１２７に係合する一端部を中心に回動する下部リンク部１５６により、本体が上下方向に揺動するよう構成される。
【００７７】
前記動作飾り部１５０の作動機構について更に説明すると、スライド部材１３０が上下方向に移動するのに伴い、該スライド部材１３０に配設された回動アーム１４６,１４６で支持された動作装飾部１４０も上下方向に移動するので、リンク部１５４,１５６は、動作ベース部１２０に固定された案内板１２６,１２８に設けられた案内孔１２７,１２９に上下方向の移動が規制されるように係合する一端部に対して他端部が上下方向に変位する。これにより、リンク部１５４,１５６は、案内孔１２７,１２９に係合する一端部を支点として他端部が、動作装飾部１４０の上下移動に追従するように変位することになる。そして、リンク部１５４,１５６における他端部の変位に伴い、該他端部に固定された飾り軸部１５２が動作装飾部１４０に対して回動変位して、動作飾り部１５０が揺動される。
【００７８】
前記第１下部動作飾り部１５０Ｂおよび第２下部動作飾り部１５０Ｃの間には、第１下部動作部材１５０Ｂの揺動に連動して第２下部動作飾り部１５０Ｃを揺動させる連動部材１５８が配設されている。連動部材１５８は、第１下部動作飾り部１５０Ｂの板状本体から後方へ突出する第１連動軸１６０に一端部が回動可能に接続されると共に、第２下部動作飾り部１５０Ｃの板状本体から後方へ突出する第２連動軸１６１に他端部が接続され(図２４および図２５参照)、第１下部動作飾り部１５０Ｂの揺動につれて第１連動軸１６０に引っ張られて連動部材１５８が上下変位することで、第２下部動作飾り部１５０Ｃが揺動される。
【００７９】
前記動作飾り部１５０Ａ,１５０Ｂ,１５０Ｃは、スライド部材１３０の上部位置において動作装飾部１４０Ａ,１４０Ｂの前面に重なる第１姿勢(図７(ｂ)および図２０(ａ)参照)となり、スライド部材１３０の下部位置において前記第１姿勢より揺動端部が上方へ変位して動作装飾部１４０Ａ,１４０Ｂの縁部から揺動端部が突出する第２姿勢(図７(ｃ)および図２２(ａ)参照)になるように設定されている。ここで、動作飾り部１５０は、動作演出体１０２(動作ベース体１２０)が動作演出位置にある状態で駆動アーム１１０に作動されるスライド部材１３０の上下移動によりリンク部１５６,１５８が動く構成であるから、動作演出体１０２(動作ベース体１２０)が動作演出位置にある遊技盤２０の前側から視認可能な状態で、動作飾り部１５０は第１姿勢と第２姿勢との間で揺動される。
【００８０】
前記案内孔１２７,１２９は、左右方向に長手が延在する長孔形状であり(図２４および図２５参照)、リンク部１５６,１５８の一端部は、上下前後方向の移動が規制される一方で左右方向の移動を許容された状態で案内孔１２７,１２９に係合している。すなわち、動作装飾部１４０の通常位置と移動位置との左右方向の移動につれて、リンク部１５６,１５８の一端部が案内孔１２７,１２９の長手に沿って移動し、動作装飾部１４０の左右方向への変位につれてリンク部１５６,１５８全体が動作飾り部１５０と共に変位するよう構成されている。このように、動作装飾部１４０が通常位置と移動位置との左右方向の移動につれて動作飾り部１５０も左右方向に移動するが、スライド部材１３０が上下方向に移動しない限り、リンク部１５６,１５８の一端部と他端部との上下方向の相対的な位置関係は変わらない構成であるから、動作装飾部１４０の移動につれて動作飾り部１５０が揺動することはない。
【００８１】
(右動作ユニットの動作飾り部)
前記右動作ユニットＵＲは、スライド部材１３０の上部位置および下部位置の何れにあっても、可動演出体４２の上部可動装飾部８６Ａを基本位置から作動位置に移動させることで、下部動作装飾部１４０Ｂに干渉させることなく上部可動装飾部８６Ａで上部動作装飾部１４０Ａを押すことが可能である。また、右動作ユニットＵＲは、上部動作装飾部１４０Ａが上部可動装飾部８６Ａで移動位置に押された状態で、スライド部材１３０の上部位置と下部位置との上下変位につれて上下方向に移動する動作装飾部１４０が可動演出体４２に干渉しないように構成されている。従って、動作装飾部１４０が通常位置と移動位置との何れの位置にあっても、スライド部材１３０を上下移動すれば、案内孔１２７,１２９に係合したリンク部１５６,１５８の一端部と動作飾り部１５０に接続した他端部との上下方向の相対的な位置が変わるから、リンク部１５６,１５８を変位させることができ、動作装飾部１４０の位置にかかわらず動作飾り部１５０を揺動可能に構成されている。
【００８２】
(左動作ユニットの当接部)
図７に示すように、左動作ユニットＵＬは、動作演出体１０２の退避位置で動作装飾部１４０に当接可能な当接部１６４を備えており、動作演出体１０２の変位に伴う当接部１６４との当接により動作装飾部１４０を変位可能な構成になっている。当接部１６４は、動作ユニットベース１０４の左側縁に右方に突出するように配設され、動作ベース体１２０が退避位置にある上部動作装飾部１５０Ａの右側部に当接可能に構成されている。当接部１６４は、上部動作装飾部１５０Ａを前記弾性部材１４８の付勢に抗して右方へ向けて押して該上部動作装飾部１５０Ｂを移動位置で保持し、これに連動して下部動作装飾部１５０Ｂも左方へ移動して移動位置とされる。このように、左動作ユニットＵＬは、動作演出体１０２が退避位置にある際に、当接部１６４によって上部動作装飾部１５０Ａおよび下部動作装飾部１５０Ｂが移動位置に保持されている。当接部１６４により上部動作装飾部１５０Ａを押すことに連動して下部動作装飾部１５０Ｂを設置開口部２２ａの開口外側へ変位させて、上部動作装飾部１５０Ａと比べて設置開口部２２ａの開口内側へ向けて延出する形状に形成された下部動作装飾部１５０Ｂが、設置開口部２２ａから引っ込む向きに移動された状態となっている。これにより、実施例のように、設置部材２２の設置開口部２２ａの右側部と比べて左側部の左右幅が狭く設定されていても、下部動作装飾部１５０Ｂの設置開口部２２ａ内側への延出を抑えることができる。一方、右動作ユニットＵＲは、動作演出体１０２が退避位置にある際に、弾性部材１４８の付勢による回動アーム１０６の回動が回動規制片１３４で規制されたもとで、上部動作装飾部１５０Ａおよび下部動作装飾部１５０Ｂが基本位置に保持されている。
【００８３】
(可動演出体と動作演出体との関係について)
前述のように構成された演出手段は、動作演出位置と該動作演出位置より左右方向に変位した退避位置との間で移動可能に配設され、動作演出位置で互いに対向するように配置される一対の動作演出体１０２,１０２と、可動演出位置と該可動演出位置より上方へ変位した待機位置との間で移動可能に配設された可動演出体４２とを備えている。演出手段は、可動演出位置にある可動演出体４２を、動作演出位置で対向する一対の動作演出体１０２,１０２で囲われる演出領域Ｒに配置可能に構成している(図３、図７(ｂ)および(ｃ)参照)。動作演出位置にある左右の動作演出体１０２,１０２は、設置開口部２２ａの開口内側が凹となる略円弧状に延在する動作装飾部１４０の下端部同士が近接して、左右の動作演出体１０２,１０２の動作装飾部１４０,１４０によって全体として上方を開放した略円形の演出領域Ｒが画成される。すなわち、可動演出位置で演出領域Ｒに配置される可動演出体４２の略円形の外形形状に沿って、演出領域Ｒを画成する動作装飾部１４０の略円弧状の意匠形状が延在し、可動演出位置にある可動演出体４２の横および下側に動作装飾部１４０で囲っている。このように、動作演出体１０２の動作装飾部１４０は、動作演出位置において、可動演出位置にある可動演出体４２の外形形状に沿う形状で形成されている。
【００８４】
前記可動演出体４２は、待機位置と可動演出位置との間で上下方向に移動すると共に、動作演出体１０２は、退避位置と動作演出位置との間で左右方向に移動し、動作演出体１０２の移動方向と可動演出体４２の移動方向とが交差するようになっている。動作演出位置にある左右の動作演出体１０２,１０２は、その上部間が可動演出体４２の左右幅より大きく離間しており、また当該上部から前記可動演出位置で可動演出体４２が配置される部位までに亘って、該可動演出体４２の左右幅より大きく離間するように対向配置されている。また、可動演出体４２は、その前面が動作演出体１０２,１０２の前面よりも前側に突出するよう構成され(図５参照)、該可動演出体４２の後面に接続された可動アーム５２が右側の動作演出体１０２の後側を通るようになっている。すなわち、左右の動作演出体１０２,１０２は、動作演出位置において、可動演出体４２における待機位置と可動演出位置との間の移動を許容するよう構成され、動作演出位置にある左右の動作演出体１０２,１０２によって画成される演出領域Ｒの内外に可動演出体４２を移動させることができる。可動演出体４２を待機位置から可動演出位置に移動することで、可動演出体を演出領域Ｒの外側から内側に配置し、可動演出体４２を可動演出位置から待機位置に移動することで、可動演出体４２が演出領域Ｒの内側から外側に退避する。また、動作演出体１０２は、退避位置から動作演出位置に向けた移動に際して可動演出位置にある可動演出体４２に対して近づき、動作演出位置から退避位置に向けた移動に際して可動演出位置にある可動演出体４２から遠ざかる。このように、可動演出体４２および左右の動作演出体１０２,１０２は、一方の演出体の移動経路上に他方の演出体が配置される構成ではないので、一方の演出体４２(１０２)の位置によって他方の演出体１０２(４２)の移動が妨げられることはない。
【００８５】
前記可動演出体４２が可動演出位置にあると共に動作演出体１０２,１０２が動作演出位置にある状態において、可動演出体４２における上下の可動装飾部８６Ａ,８６Ｂの合わせ目と、動作演出体１０２における上下の動作装飾部１４０Ａ,１４０Ｂの合わせ目とは、上下方向の位置が略揃うように配置されている(図３および図７(ｂ),(ｃ)参照)。左右の動作演出体１０２,１０２は、動作演出位置で対向配置されて前記演出領域Ｒを画成した際に、上下の動作装飾体１４０Ａ,１４０Ｂが該演出領域Ｒの内外方向となる左右方向に変位可能に配設されている。また、可動演出体４２は、装飾モータ７７の駆動により左右方向に作動される可動装飾部８６Ａ,８６Ｂが、可動演出位置において演出領域Ｒに配置された際に、該演出領域Ｒの内外方向に移動することになる。すなわち、動作装飾部１４０は、可動装飾部８６と同じ左右方向に移動可能になっている。換言すると、可動演出体４２は、可動演出位置において動作演出位置にある動作演出体１０２に対して進退する方向へ変位可能に設けられた可動装飾部８６を有し、動作演出体１０２に設けられた動作装飾部１４０は、可動装飾部８６の変位方向と同じ方向へ変位可能に構成されている。
【００８６】
前記演出手段において、作演出位置にある右側の動作演出体１０２の上部動作装飾部１４０Ａが、可動演出位置にある可動演出体４２における上部可動装飾部８６Ａの基本位置から作動位置に向けた移動経路上に配置されている。可動演出位置にある可動演出体４２における上部可動装飾部８６Ａを、基本位置から作動位置に向けて移動することで、上部可動装飾部８６Ａで移動方向前側に配置された右側の動作演出体１０２の上部動作装飾部１４０Ａを演出領域Ｒ外方(右側)へ向けて押して、該上部動作装飾部１４０Ａを通常位置から移動位置に変位させるようになっている。そして、右側の動作演出体１０２では、上部可動装飾部８６Ａに押された上部動作装飾部１４０Ａの通常位置から移動位置への右向きの変位に対して前記回動アーム１４６により連動して、下部動作装飾部１４０Ｂが通常位置から移動位置へ向けて左向きに変位するようになっている。
【００８７】
また、動作演出位置にある左側の動作演出体１０２の下部動作装飾部１４０Ｂが、可動演出位置にある可動演出体４２における下部可動装飾部８６Ｂの基本位置から作動位置に向けた移動経路上に配置されている。可動演出位置にある可動演出体４２における下部可動装飾部８６Ｂを、基本位置から作動位置に向けて移動することで、下部可動装飾部８６Ｂで移動方向前側に配置された左側の動作演出体１０２の下部動作装飾部１４０Ｂを演出領域Ｒ外方(左側)へ向けて押して、該上部操作装飾部１４０Ａを通常位置から移動位置に変位させるようになっている。そして、左側の動作演出体１０２では、下部可動装飾部８６Ｂに押された下部動作装飾部１４０Ｂの通常位置から移動位置への左向きの変位に対して前記回動アーム１４６により連動して、上部動作装飾部１４０Ｂが通常位置から移動位置へ向けて右向きに変位するようになっている。このように、可動演出体４２は、互いに反対向きに進退移動する上部可動装飾部８６Ａと下部可動装飾部８６Ｂにより、夫々異なる動作装飾部１４０Ａ,１４０Ｂを押すよう構成されている。
【００８８】
前記演出手段において、可動装飾部８６が作動位置になると該可動装飾部８６により動作装飾部１４０が移動位置で保持される。可動演出位置にある可動演出体４２における上部可動装飾部８６Ａを、作動位置から基本位置に向けて移動することで、演出領域Ｒ内方(左側)へ向けた右側の動作演出体１０２の上部動作装飾部１４０Ａの変位が許容され、上部動作装飾部１４０Ａが弾性部材１４８の付勢により移動位置から通常位置へ向けて変位するようになっている。そして、右側の動作演出体１０２では、上部動作装飾部１４０Ａの移動位置から通常位置への左向きの変位に対して前記回動アーム１４６により連動して、下部動作装飾部１４０Ｂが移動位置から通常位置へ向けて右向きに変位するようになっている。可動演出位置にある可動演出体４２における下部可動装飾部８６Ｂを、作動位置から基本位置に向けて移動することで、演出領域Ｒ内方(右側)へ向けた左側の動作演出体１０２の下部動作装飾部１４０Ｂの変位が許容され、下部動作装飾部１４０Ｂが弾性部材１４８の付勢により移動位置から通常位置へ向けて変位するようになっている。そして、左側の動作演出体１０２では、下部動作装飾部１４０Ｂの移動位置から通常位置への右向きの変位に対して前記回動アーム１４６により連動して、上部動作装飾部１４０Ａが移動位置から通常位置へ向けて左向きに変位するようになっている。このように、演出手段は、可動演出体４２が可動演出位置にあると共に動作演出体１０２が動作演出位置にある状態で、可動装飾部の基本位置と作動位置との間の移動に伴って、可動装飾部も通常位置と移動位置との間に移動するように構成される。
【００８９】
前記可動演出体４２は、基本位置にある上下の可動装飾部８６Ａ,８６Ｂにより１つのまとまった略円形の意匠形状が形成されており、動作演出体１０２は、通常位置にある上下の動作装飾部１４０Ａ,１４０Ｂが連なって１つのまとまった円弧状の意匠形状が形成されている。可動演出体４２が可動演出位置にあると共に動作演出体１０２が動作演出位置にある状態では、基本位置にある上下の可動装飾部８６Ａ,８６Ｂによる意匠形状を、通常位置にある上下の動作装飾部１４０Ａ,１４０Ｂの意匠形状が左右から囲み、可動演出体４２の意匠形状と左右の動作演出体１０２,１０２とが関連付けられている。ここで、可動演出体４２は、連繋歯車８２により連動して作動する装飾ラック８８,８９に夫々支持された上下の可動装飾部８６Ａ,８６Ｂが互いに反対向きに同期して作動すると共に、動作演出体１０２は、回動アーム１４６によって支持された上下の動作装飾部１４０Ａ,１４０Ｂが互いに反対向きに同期して作動する。すなわち、１つの装飾モータ７７を駆動することで、上下の可動装飾部８６Ａ,８６Ｂ、左側の上下の動作装飾部１４０Ａ,１４０Ｂおよび右側の上下の動作装飾部１４０Ａ,１４０Ｂを同期して作動し、可動演出体４２および左右の動作演出体１０２,１２０のなかで上側に位置する、左側の上部動作装飾部１４０Ａ、上部可動装飾部８６Ａおよび右側の上部動作装飾部１４０Ａが図３に示す通常状態から右側に全体的に変位して図４に示す移動状態となると共に、可動演出体４２および左右の動作演出体１０２,１２０のなかで下側に位置する、左側の下部動作装飾部１４０Ｂ、下部可動装飾部８６Ｂおよび右側の下部動作装飾部１４０Ｂが図３に示す通常状態から左側に全体的に変位して図４に示す移動状態となる。このように、前記移動状態において、左側の上部動作装飾部１４０Ａ、上部可動装飾部８６Ａおよび右側の上部動作装飾部１４０Ａと、左側の下部動作装飾部１４０Ｂ、下部可動装飾部８６Ｂおよび右側の下部動作装飾部１４０Ｂとが、左右に分離された意匠形状の組み合わせに変化し、通常状態と移動状態とで全体的な意匠態様を大きく変化させている。
【００９０】
図２８に示すように、前記上下の可動装飾部８６Ａ,８６Ｂは、可動演出体４２の可動演出位置において動作演出位置にある動作演出体１０２に相対する部位に、該動作演出体１０２に向けて突出するよう形成された当接突起８８ａ,８９ａを夫々備えている。また、可動装飾部８６Ａ,８６Ｂによる作動対象となる右側の上部動作装飾部１４０Ａおよび左側の下部動作装飾部１４０Ｂには、動作演出体１０２の動作演出位置において可動演出位置にある可動演出体４２に相対する部位に、当接受面１６６が夫々形成されている。右側の上部動作装飾部１４０Ａの当接受面１６６は、前記演出領域Ｒを画成する内側面に平坦に形成されており、当接受面１６６は、上部動作装飾部１４０Ａの前側に内方へ延出するよう配設された動作装飾片１４５の後側に隠されている。左側の下部動作装飾部１４０Ｂの当接受面１６６は、前記演出領域Ｒを画成する内側面に平坦に形成されており、当接受面１６６は、下部動作装飾部１４０Ｂの前側に内方へ延出するよう配設された動作装飾片１４５の後側に隠されている。そして、可動装飾部１４０Ａ,１４０Ｂを動作装飾部１４０Ａ,１４０Ｂへ向けて移動した際に、上部可動装飾部８６Ａの上部装飾ラック８８の右端部に設けられた当接突起８８ａが、右側の上部動作装飾部１４０Ａの当接受面１６６に当接すると共に、下部可動装飾部８６Ｂの下部装飾ラック８９の右端部に設けられた当接突起８９ａが、左側の下部動作装飾部１４０Ｂの当接受面１６６に当接するよう構成される。
【００９１】
(実施例の作用)
次に、実施例に係るパチンコ機１０の作用について説明する。可動演出装置４０は、切替手段６０により切替本体部６１の最上位にある第１状態で保持された可動支持部５８が可動係合部５６を支持することで、可動アーム５２が上昇姿勢で保持され、これにより可動アーム５２の回動端部に接続された可動演出体４２が画像表示部１７ａの上側に退避した待機位置で保持される。すなわち、可動演出体４２の荷重を第１状態にある可動支持部５８により受け止めている。可動演出装置４０は、可動モータ６４により切替手段６０の切替本体部６１を回転して可動支持部５８を第１状態から第２状態に切り替えることで、可動支持部５８による可動係合部５６の支持が解除されると共に可動支持部５８が可動アーム５２の上昇姿勢から下降姿勢への変位に伴う可動係合部５６の移動経路から外れる。可動アーム５２が可動支持部５８による支えを失うことで、可動演出体４２の自重による落下が許容され、可動演出体４２が可動アーム５２に邪魔されることなく可動ガイド５０に案内されたもとで待機位置から可動演出位置まで一気に落下する。そして、可動演出体４２が可動演出位置に至ると、可動アーム５２が可動ストッパ６８に受け止められ、可動演出位置で停止する。このように、可動演出装置４０は、可動支持部５８を切替手段６０によって第１状態から第２状態に切り替える簡単な構成で、可動演出体４２を自重により待機位置から可動演出位置に落下させることができる。そして、可動演出装置４０は、落下する可動演出体４２により、インパクトのある動作演出を行うことができる。ここで、可動演出体４２は、待機位置において上部設置スペースＳＨに収容されて隠れており、該待機位置から落下することで、遊技盤２０の前側から視認可能な画像表示部１７ａの前側に突然現れる。従って、可動演出装置４０は、可動演出体４２の待機位置から可動演出位置への迅速な変位によるインパクトだけでなく、可動演出体４２の出現によってもインパクトを与えることができる。
【００９２】
可動アーム５２は、長手方向の一端部が可動ベース４４に回動可能に支持されると共に、長手方向の他端部が可動演出体４２に接続される構成であるから、可動アーム５２に接続した可動演出体４２の移動範囲を大きくすることができ、可動演出体４２の動作によるインパクトをより向上することができる。また、可動演出体４２は、該可動演出体４２の左右方向中央より右側に偏った部位に可動アーム５２が接続されると共に、該可動演出体４２の左右方向中央より左側に偏った部位で可動ガイド５０に支持されるから、可動アーム５２と可動ガイド５０との干渉を防止することができる。
【００９３】
前記可動演出装置４０は、切替手段６０の回転により可動支持部５８が可動係合部５６の移動経路から外れた第２状態で所定範囲変位した後に、可動演出位置にある可動演出体４２に伴って下降姿勢にある可動アーム５２の可動係合部５６の下側に到来し、第２状態から第１状態に切り替わる。可動演出装置４０は、切替手段６０の回転により可動支持部５８が第１状態において下方から上方へ向けて変位することで、可動支持部５８が可動係合部５６を支持して可動アーム５２を下降姿勢から上昇姿勢に変位し、可動アーム５２の姿勢変位に伴い可動演出体４２が可動演出位置から待機位置に向けて上昇される。そして、切替手段６０(切替本体部６１)が１回転して可動支持部５８が切替本体部６１の最上位に戻ると、可動モータ６４が駆動停止され、切替本体部６１の最上位にある第１状態で保持された可動支持部５８で可動係合部５６を支持して可動アーム５２が上昇姿勢で保持することで、可動演出体４２が待機位置に戻される。
【００９４】
このように、可動演出装置４０は、切替手段６０の回転により可動支持部５８を第１状態と第２状態とに簡単に切り替えることができる。また、可動演出装置４０は、切替手段６０による可動支持部５８の状態切り替えによって、第１状態で可動アーム５２を持ち上げて可動演出体４２を可動演出位置から待機位置に戻すことができる。すなわち、可動演出装置４０は、可動演出体４２を可動演出位置から待機位置に戻すための機構を別途設ける必要はなく、構成を簡易にすることができる。しかも、切替手段６０を１回転するだけで、可動演出体４２を待機位置になるよう支持した第１状態から可動演出体４２の落下を許容する第２状態に移行した後に、可動演出体４２を上昇させて可動演出体４２を待機位置になるよう支持する第１状態に移行するから、可動モータ６４を正逆回転させたり、変速制御するなどの複雑な制御を行う必要はなく、該可動モータ６４を制御する制御装置の制御負荷を軽減し得る。可動支持部５８は、切替手段６０における切替本体部６１に突設された支持軸部５８ａに回転可能に配設された支持円筒部５８ｂによって可動係合部５６に当接する外周部が構成されているから、可動支持部５８が可動係合部５６の延在方向に沿って摺動しつつ変位する際の摺動負荷を軽減することができる。従って、可動支持部５８を切替手段６０により第１状態と第２状態との間でスムーズに切り替えることができる。
【００９５】
前記可動演出装置４０は、可動演出体４２が待機位置から可動演出位置に向けて落下する際に、可動ストッパ６８により可動アーム５２を受け止める構成であるから、可動演出体４２を支持する可動ガイド５０に、落下する可動演出体４２による衝撃を抑えることができ、可動ガイド５０にかかる負荷を軽減することができる。可動ストッパ６８は、可動演出体４２の可動演出位置に対応する可動アーム５２の下降姿勢において、第１アーム部５２ｃを第１受面６８ａで受け止めると共に第２アーム部５２ｄを第２受面５２ｄで受け止める。すなわち、可動ストッパ６８は、待機位置から可動演出位置に落下する可動演出体４２の荷重を、第１受面６８ａと第２受面６８ｂとに分散して受け止めるので破損し難い。
【００９６】
前記動作演出装置１００の各動作ユニットＵは、退避姿勢にある駆動アーム１１０の動作軸部１１２が動作ベース部１２０の動作軸開口１２２に係合したもとで、動作ベース部１２０および該動作ベース部１２０に配設された動作装飾部１４０を含む動作演出体１０２全体が退避位置に保持されている。動作ユニットＵは、動作モータ１１３の駆動により駆動アーム１１０が退避姿勢から動作姿勢に向けて回動することで、動作軸部１１２が設置開口部２２ａの開口外側から開口内側へ向けて回動変位する。退避姿勢から動作姿勢に伴って回動変位する動作軸部１１２は、動作ベース部１２０の動作軸開口１２２に左右方向に引っ掛かることで、動作ベース部１２０を退避位置から動作演出位置へ向けて左右方向に移動し、これにより該動作ベース部１２０に配設された動作装飾部１４０を含む動作演出体１０２全体が動作演出位置へ向けて移動される。動作演出体１０２は、側部設置スペースＳＬ,ＳＲに収容されていた退避位置から動作演出位置に移動することで、遊技盤２０の前側から視認可能な図柄表示部１７ａの前側に現れ、駆動アーム１１０が動作姿勢まで回動することで、動作装飾部１４０全体が遊技盤２０の前側から視認可能な動作演出位置になる。そして、動作ユニットＵは、動作モータ１１３の駆動により駆動アーム１１０が動作姿勢から退避姿勢に向けて回動することで回動変位する動作軸部１１２が、動作ベース部１２０の動作軸開口１２２に左右方向に引っ掛かることで、動作ベース部１２０を動作位置から退避演出位置へ向けて左右方向に移動し、これにより動作演出体１０２が動作演出位置から退避位置に戻される。
【００９７】
前記動作演出体１０２には、動作ベース部１２０に対して動作装飾部１４０が左右方向に移動可能に配設されており、可動演出体４２の可動装飾部８６により動作装飾部１４０を、動作ベース部１２０に対して左右方向に移動させることができる。すなわち、動作演出体１０２は、動作ベース部１２０の移動および動作ベース部１２０の移動に伴う動作装飾部１４０の移動だけではなく、動作装飾部１４０自体も動作ベース部１２０に対して変位可能であるから、動作ベース部１２０および動作装飾部１４０の動作の組み合わせにより興趣に富んだ動作演出を行い得る。動作演出体１０２には、上下２つの動作装飾部１４０Ａ,１４０Ｂが配設されている。上部動作装飾部１４０Ａは、中間部分がスライド部材１３０に回動可能に支持された回動アーム１４６,１４６の上端部に支持され、下部動作装飾部１４０Ｂは、上部動作装飾部１４０Ａを支持する上端部と回動支点を挟んで反対側の下端部に支持される。すなわち、上下のうちの一方の動作装飾部１４０Ａ(１４０Ｂ)を移動すると、回動アーム１４６,１４６を介して連結している動作装飾部１４０Ｂ(１４０Ａ)も移動することになる。しかも、回動アーム１４６,１４６の回動支点を挟んで反対の端部の夫々に動作装飾部１４０Ａ,１４０Ｂが支持されているから、一方の動作装飾部１４０Ａ(１４０Ｂ)の変位により他方の動作装飾部１４０Ｂ(１４０Ａ)を、該一方の動作装飾部１４０Ａ(１４０Ｂ)と反対側へ変位させることができる。このように、動作演出体１０２は、一方の動作装飾部１４０Ａ(１４０Ｂ)の変位に連動して他方の動作装飾部１４０Ｂ(１４０Ａ)を変位させることができるから、動作装飾部１４０Ａ,１４０Ｂを変位するための機構を簡易にできる。
【００９８】
前記動作演出体１０２には、動作装飾部１４０に該動作装飾部１４０に対して変位可能に動作飾り部１５０が配設されている。動作飾り部１５０を支持する動作装飾部１４０は、動作ベース部１２０に対して上下方向に移動可能に配設されたスライド部材１３０に支持されており、該スライド部材１３０の上下方向の移動につれて上下方向に移動する。動作飾り部１５０には、一端部が動作ベース部１２０に固定された案内板１２６,１２８に開設された案内孔１２７,１２９に係合するリンク部１５４,１５６の他端部が接続されており、動作装飾部１４０を支持するスライド部材１３０を動かすことで、案内孔１２７,１２９に繋がる一端部と動作飾り部１５０に繋がる他端部との位置ズレにより回動するリンク部１５４,１５６によって、動作装飾部１４０に対して動作飾り部１０５を第１姿勢と第２姿勢との間で変位させることができる。このように、動作演出体１０２は、動作装飾部１４０に対して変位可能な動作飾り部１５０を設けることで、動作ベース部１２０、動作装飾部１４０および動作飾り部１５０の動作の組み合わせにより更に興趣に富んだ動作演出を行い得る。
【００９９】
前記スライド部材１３０は、駆動アーム１１０の動作姿勢と回動姿勢との間の回動に伴い上下変位する動作軸部１１２に、該スライド部材１３０の連繋部１３２ａが係合することで上下方向に移動される。すなわち、動作ユニットＵは、動作ベース部１２０を動かす駆動アーム１１０およびこの駆動アーム１１０を駆動する動作モータ１１３からなる動作機構により、動作ベース部１２０だけでなく動作飾り部１５０も動かすことができる。このように、動作ユニットＵは、単一の動作モータ１１３(動作機構)により動作ベース部１２０と動作飾り部１５０とを動かすことができるから、駆動のための動作機構を簡易にできる。しかも、動作姿勢および回動姿勢の間で変位する動作軸部１１２とスライド部材１３０の連繋部１３２ａの係合構造は、スライド部材１３０を上下方向に移動させるものの、動作ベース部１２０(動作演出体１０２)を左右に変位させない。すなわち、動作ベース部１２０を停止させた状態で動作飾り部１５０を揺動させることができるので、動作飾り部１５０の動きを際立たせることができる。
【０１００】
前記動作演出体１０２は、動作飾り部１５０を揺動するリンク部１５４,１５６の一端部が、動作装飾部１４０の左右方向の移動につれて左右方向に変位し得るように案内孔１２７,１２９に係合しているから、動作装飾部１４０の左右方向への変位につれてリンク部１５４,１５６全体が動作飾り部１５０と共に変位する。すなわち、動作演出体１０２は、動作装飾部を通常位置と移動位置との間で左右方向に変位しても、スライド部材１３０の上部位置と下部位置との間の上下変位に伴ってリンク部１５４,１５６を回動して動作飾り部１５０を揺動させることができる。また、上部動作装飾部１４０Ａに配設された上部動作飾り部１５０Ａは、上案内板１２８に設けられた上案内孔１２９に一端部が係合する上部リンク部１５４で揺動されると共に、下部動作装飾部１４０Ｂに配設された第１下部動作飾り部１５０Ｂは、下案内板１２６に設けられた下案内孔１２７に一端部が係合する下部リンク部１５６で揺動される。更に、下部動作装飾部１４０Ｂに配設された第２下部動作飾り部１５０Ｃは、第１下部動作飾り部１５０Ｂとの間に設けられた連動部材１５８により揺動される。すなわち、動作演出体１０２は、上下２つの動作装飾部１４０Ａ,１４０Ｂが互いに反対向きに変位する構成であるが、各動作装飾部１４０Ａ,１４０Ｂに配設された動作飾り部１５０Ａ,１５０Ｂ,１５０Ｃをスライド部材１３０の移動に伴い揺動させることができる。
【０１０１】
前記演出手段は、左右の動作演出体１０２,１０２を動作演出位置に移動させることで、画像表示部１７ａの前側で、対向配置した両動作演出体１０２,１０２により囲われる演出領域Ｒを画成し得る。また、可動演出体４２を可動演出位置にすることで、前記演出領域Ｒの内側に配置することができる。このように、可動演出体４２の待機位置および可動演出位置の間の上下方向の動作や、左右の動作演出体１０２,１０２の退避位置および動作演出位置の間の左右方向の動作だけでなく、可動演出体４２を可動演出位置にすると共に左右の動作演出体１０２,１０２を動作演出位置にする動作の結果を関連付けることができ、興趣に富んだ動作演出を行い得る。また、可動演出体４２を可動演出位置にすると共に左右の動作演出体１０２,１０２を動作演出位置にすることで、可動演出体４２および左右の動作演出体１０２,１０２によって、まとまりのある意匠形状を構成したり、一方の演出体１０２(４２)が他方の演出体４２(１０２)を強調または装飾するなど、可動演出体４２および動作演出体１０２を互いに関連付けることができるから、演出効果を向上し得る。実施例では、動作演出体１０２は、動作演出位置において、可動演出位置にある可動演出体４２の外形に沿う形状で形成されて、動作演出体４２および動作演出体１０２が形状的に関連付けられているから、可動演出位置にある可動演出体４２と動作演出位置にある左右の動作演出体１０２,１０２との一体感を向上することができる。
【０１０２】
前記演出領域Ｒを画成する左右の動作演出体１０２,１０２は、該演出領域Ｒの上部を開放するように形成されており、演出領域Ｒの外側に配置される待機位置と演出領域Ｒの内側に配置される可動演出位置との間で、可動演出体４２の移動が許容される。すなわち、可動演出体４２を左右の動作演出体１０２,１０２の位置に影響を受けずに移動させることができ、可動演出体４２および左右の動作演出体１０２,１０２の動作の組み合わせにより興趣に富んだ動作演出を行い得る。可動演出体４２は上下方向に移動するのに対して、動作演出体１０２は、左右方向に移動し、動作演出体１０２の移動方向と可動演出体４２の移動方向とが交差するように構成されているから、可動演出体４２および動作演出体１０２の動作の違いを際立たせることができる。
【０１０３】
前記演出手段は、動作演出体１０２が動作演出位置にあると共に可動演出体４２が可動演出位置にある状態で、可動モータ６４の駆動により可動装飾部８６を基本位置から作動位置に移動することで該可動装飾部８６が動作装飾部に向けて変位し、可動装飾部８６により動作装飾部１４０を押して、動作装飾部１４０を通常位置から移動位置に変位させることができる。すなわち、可動演出体４２の可動演出位置において、上部可動装飾部８６Ａが基本位置から作動位置に向けて右側に作動することで演出領域Ｒの外方へ向けて移動した上部可動装飾部８６Ａにより、動作演出位置で前記演出領域Ｒを囲んでいる右側の上部動作装飾部１４０Ａを演出領域Ｒの外方へ向けて右側へ変位させることができる。また、可動演出体４２の可動演出位置において、下部可動装飾部８６Ｂが基本位置から作動位置に向けて左側に作動することで演出領域Ｒの外方へ向けて移動した下部可動装飾部８６Ｂにより、動作演出位置で前記演出領域Ｒを囲んでいる左側の下部動作装飾部１４０Ｂを演出領域Ｒの外方へ向けて左側へ変位させることができる。そして、右側の動作演出体１０２では、上部動作装飾部１４０Ａの通常位置から移動位置への右方変位に連動して、下部動作装飾部１４０Ｂが通常位置から移動位置へ向けて左方へ変位され、左側の動作演出体１０２では、下部動作装飾部１４０Ｂの通常位置から移動位置への左方変位に連動して、上部動作装飾部１４０Ａが通常位置から移動位置へ向けて右方へ変位される。そして、演出手段は、可動モータ６４の駆動により上部可動装飾部８６Ａおよび下部可動装飾部８６Ｂを作動位置から基本位置へ移動することで、弾性部材１４８の付勢による右側の上部動作装飾部１４０Ａおよび左側の下部動作装飾部１４０Ｂの移動位置から通常位置への復帰が許容され、これに伴い右側の下部動作装飾部１４０Ｂおよび左側の上部動作装飾部１４０Ａも移動位置から通常位置に戻る。
【０１０４】
前記演出手段によれば、可動演出体４２および動作演出体１０２自体の動作による演出に加えて、可動演出体４２の可動装飾部８６と動作演出体１０２の動作装飾部１４０とを関連付けて動作させることができ、複数の動作の組み合わせにより興趣に富んだ動作演出を行い得る。しかも、動作装飾部１４０は、可動装飾部８６に押されて移動する構成であるから、動作装飾部１４０を移動するための駆動手段を設ける必要はなく、機構を簡単にすることができる。また、右側の動作演出体１０２は、可動演出体４２の上部可動装飾部８６Ａに押されて移動する上部動作装飾部１４０Ａと、この上部動作装飾部１４０Ａの移動に連動する下部動作装飾部１４０Ｂとを備え、左側の動作演出体１０２は、可動演出体４２の下部可動装飾部８６Ｂに押されて移動する下部動作装飾部１４０Ｂと、この下部動作装飾部１４０Ｂの移動に連動する上部動作装飾部１４０Ａとを備えているから、夫々の動作演出体１０２において複数の動作の組み合わせにより興趣に富んだ動作演出を行い得る。更に、可動演出体４２は、互いに反対向きに移動する上部可動装飾部８６Ａおよび下部可動装飾部８６Ｂを備えているから、可動演出体４２において複数の動作の組み合わせにより興趣に富んだ動作演出を行い得る。更にまた、上下方向に移動する可動演出体４２および左右方向に移動する動作演出体１０２の動きの組み合わせによっても、動作演出のバリエーションを変えることができる。
【０１０５】
前記演出手段は、左右の動作演出体１０２,１０２で囲われる演出領域Ｒに可動演出体４２を配置した状態から、上下の可動装飾部８６Ａ,８６Ｂの作動により上下の動作装飾部１４０Ａ,１４０Ｂを移動することで、上下の可動装飾部８６Ａ,８６Ｂで構成されていた可動演出体４２の意匠形状および上下の動作装飾部１４０Ａ,１４０Ｂで構成されていた動作演出体１０２の意匠形状を変化させることができる。実施例では、上側の装飾部８６Ａ,１４０Ａ,１４０Ｂと下側の装飾部８６Ｂ,１４０Ｂ,１４０Ｂとが上下に合わさった状態から左右方向にずれて分離した状態に変化するよう、意匠態様を大きく変化させることができ、動作による演出効果が高い。
【０１０６】
前記演出手段は、可動装飾部８６の当接突起８８ａ,８９ａが動作装飾部１４０の当接受面１６６に当接する構成であるから、可動装飾部８６の本体と動作装飾部１４０の本体との干渉を防止することができる。また、対称な位置関係で配設された一対の動作演出体１０２,１０２を動作演出位置で対向配置させることで前記演出領域を画成する構成であるから、最小限の構成で興趣に富んだ演出を行い得る。
【０１０７】
なお、前述した実施例は、以下の技術的思想が含まれる。
(付記１)
前記動作ベース部(120)を往復移動可能に支持するガイドレール(108)と、駆動手段(113)により回動され、先端部が前記動作ベース部(120)に設けられた接続部(122)に係合する駆動アーム(110)とを備え、
前記駆動手段(113)による前記駆動アーム(110)の回動に伴う該駆動アーム(110)の先端部と前記接続部(122)との係合下に前記動作ベース部(120)を第１の方向へ往復移動させると共に、該先端部と前記スライド部材(130)との係合下に該スライド部材(130)を第２の方向に変位させて、前記動作飾り部(150)を変位するよう構成した請求項３記載の遊技機。
付記１によれば、同じ駆動手段により動作ベース部と動作飾り部とを動かすことができ、駆動のための機構を簡易にできる。
【０１０８】
(付記２)
前記スライド部材(130)に中間部分が回動可能に支持された回動アーム(146)の一端部に接続された動作装飾部(140)と、該回動アーム(146)の他端部に接続された動作装飾部(140)とを備え、一方の動作装飾部(140)の変位により他方の動作装飾部(140)が、該一方の動作装飾部(140)と反対側へ変位するよう構成された請求項４記載の遊技機。
付記２によれば、一方の動作装飾部の変位により他方の動作装飾部を変位させることができ、動作装飾部を変位するための機構を簡易にできる。
【０１０９】
(変更例)
なお、本発明に係る遊技機の構成としては、前述した実施例に示したものに限らず、種々の変更が可能で、例えば以下のものを採用可能である。
(１)遊技機としては、パチンコ機に限られるものではなく、アレンジボール機やパチンコ球を用いたスロットマシン等、その他各種の遊技機であってもよい。
(２)切替手段による支持部の変位によりアームを下降姿勢から上昇姿勢に戻すよう構成したが、アームを下降姿勢から上昇姿勢に戻す別の手段を設けてよい。
(３)動作演出体は、２基に限られず、１基または３基以上であってもよい。
(４)動作演出体は、左右方向に移動する構成に限られず、揺動等その他の動きであってもよい。
(５)実施例では、右側の動作演出体の動作飾り部を動作装飾部の通常位置および移動位置にかかわらず動作可能な構成としたが、左側の動作演出体の動作飾り部を動作装飾部の通常位置および移動位置にかかわらず動作可能な構成としてもよい。すなわち、スライド部材の上部位置および下部位置の夫々に対応して動作装飾部が上下方向に変位しても、可動演出体の可動装飾部を基本位置から作動位置に移動させることで、該可動装飾部に押された一方の動作装飾部を他方の動作装飾部に干渉させることなく通常位置から移動位置に変位させることができ、一方の動作装飾部が可動装飾部で移動位置に押された状態で、スライド部材の上部位置と下部位置との上下変位につれて上下方向に移動する動作装飾部が可動演出体に干渉しないように構成されていればよい。
(６)動作演出装置が備える動作演出体は、２つに限定されず、１つであっても３つ以上であってもよい。また、動作演出体の配設位置も左右対称に限定されない。
【符号の説明】
【０１１０】
１７ 図柄表示装置
１７ａ 画像表示部(表示部)
２０ 遊技盤
２０ａ 遊技領域
２６ａ 表示窓口(窓口)
１００ 動作演出装置
１２０ 動作ベース部
１２７ 下案内孔(案内部)
１２９ 上案内孔(案内部)
１３０ スライド部材
１４０ 動作装飾部
１５０ 動作飾り部
１５４ 上部リンク部(リンク部)
１５６ 下部リンク部(リンク部)
【図１】
0006000906.tif 000002
【図２】
0006000906.tif 000003
【図３】
0006000906.tif 000004
【図４】
0006000906.tif 000005
【図５】
0006000906.tif 000006
【図６】
0006000906.tif 000007
【図７】
0006000906.tif 000008
【図８】
0006000906.tif 000009
【図９】
0006000906.tif 000010
【図１０】
0006000906.tif 000011
【図１１】
0006000906.tif 000012
【図１２】
0006000906.tif 000013
【図１３】
0006000906.tif 000014
【図１４】
0006000906.tif 000015
【図１５】
0006000906.tif 000016
【図１６】
0006000906.tif 000017
【図１７】
0006000906.tif 000018
【図１８】
0006000906.tif 000019
【図１９】
0006000906.tif 000020
【図２０】
0006000906.tif 000021
【図２１】
0006000906.tif 000022
【図２２】
0006000906.tif 000023
【図２３】
0006000906.tif 000024
【図２４】
0006000906.tif 000025
【図２５】
0006000906.tif 000026
【図２６】
0006000906.tif 000027
【図２７】
0006000906.tif 000028
【図２８】
0006000906.tif 000029